(57)【要約】【課題】太陽電池アレイおよび太陽電池モジュールの生産性を向上させる。【解決手段】太陽電池モジュールは、太陽電池パネルと第１および第２フレーム部材とを備える。第１フレーム部材は、太陽電池パネルの第１側面に沿って位置している。第２フレーム部材は、太陽電池パネルの第１側面とは逆の第２側面に沿って位置している。第１フレーム部材は、被嵌合部と壁状部と溝状部と凸状部とを有する。被嵌合部は、太陽電池パネルが嵌まった状態で位置している。壁状部は、太陽電池パネルの厚さ方向に沿って被嵌合部から延びている状態で位置している。溝状部は、壁状部の第１方向の側に位置し、第１方向の側で開口し且つ第１側面の長手方向に沿って位置している。凸状部は、溝状部よりも被嵌合部の側で突出するように位置している。第１溝状部および第２溝状部の内部空間の第３方向における幅は、太陽電池パネルの厚みよりも大きい。【選択図】図９
2019134552.tif 000002
【特許請求の範囲】
【請求項１】
第１面、該第１面とは逆方向を向いている状態で位置している第２面、および前記第１面と前記第２面とを接続している状態で位置している側面を有する板状の太陽電池パネルと、
前記側面のうちの前記第１面に沿った第１方向の側に存在している第１側面に沿って位置している第１フレーム部材と、
前記側面のうちの前記第１方向とは逆の第２方向の側に存在している第２側面に沿って位置している第２フレーム部材と、を備えており、
前記第１フレーム部材は、前記太陽電池パネルのうちの前記第１側面に沿った第１外周部が嵌まっている状態で位置している溝状の第１被嵌合部と、
前記太陽電池パネルの厚さ方向に沿って前記第１面から前記第２面に向かう第３方向において前記第１被嵌合部から延びている状態で位置している第１壁状部と、
該第１壁状部の前記第１方向の側に位置し、前記第１方向の側において開口しており且つ前記第１側面の第１長手方向に沿って位置している第１溝状部と、
該第１溝状部の前記第３方向とは逆の第４方向の側において前記第１壁状部よりも前記第１方向に突出している状態で位置している１つ以上の第１突出部を含む第１凸状部と、を有しており、
前記第２フレーム部材は、前記太陽電池パネルのうちの前記第２側面に沿った第２外周部が嵌まっている状態で位置している溝状の第２被嵌合部と、
前記第３方向において前記第２被嵌合部から延びている状態で位置している第２壁状部と、
該第２壁状部の前記第２方向の側に位置し、前記第２方向の側において開口しており且つ前記第２側面の第２長手方向に沿って位置している第２溝状部と、
該第２溝状部の前記第４方向の側において前記第２壁状部よりも前記第２方向に突出している状態で位置している１つ以上の第２突出部を含む第２凸状部と、を有しており、
前記第１溝状部および前記第２溝状部の内部空間の前記第３方向における幅は、前記太陽電池パネルの厚みよりも大きい、
太陽電池モジュール。
【請求項２】
請求項１に記載の太陽電池モジュールであって、
前記第１フレーム部材における前記第１長手方向に垂直な第１断面の形状と、前記第２フレーム部材における前記第２長手方向に垂直な第２断面の形状とが、前記第１方向に垂直な第１仮想平面を基準として面対称の関係を有している、太陽電池モジュール。
【請求項３】
請求項１または請求項２に記載の太陽電池モジュールであって、
前記第３方向において、前記第１凸状部の第１の幅と、前記第２溝状部の内部空間の第２の幅と、が同一である、太陽電池モジュール。
【請求項４】
請求項１から請求項３の何れか１つの請求項に記載の太陽電池モジュールであって、
前記第１被嵌合部は、前記第１面に対向している状態で位置している第１部分と、前記第２面に対向している状態で位置している第２部分と、前記第１部分と前記第２部分とを接続しており且つ前記第１側面に対向している状態で位置している第３部分と、を有し、
前記第１部分の前記第４方向の側の第３面と、前記第１凸状部の前記第４方向の側の第４面と、が直接接続しているとともに、前記第４方向において同一の位置に存在している、太陽電池モジュール。
【請求項５】
請求項１から請求項３の何れか１つの請求項に記載の太陽電池モジュールであって、
前記第１被嵌合部の少なくとも一部が、前記第１凸状部内に位置しており、
前記第２被嵌合部の少なくとも一部が、前記第２凸状部内に位置している、太陽電池モジュール。
【請求項６】
請求項１から請求項５の何れか１つの請求項に記載の太陽電池モジュールであって、
前記第１フレーム部材は、
前記第１凸状部の前記第３方向の側の第１端部から前記第１方向に張り出している状態で位置している第１張出部と、
前記第１溝状部の前記第３方向の側の第２端部から前記第１方向に張り出している状態で位置しており且つ前記第１張出部と対向している状態で位置している第２張出部と、をさらに有しており、
前記第２フレーム部材は、
前記第２凸状部の前記第３方向の側の第３端部から前記第２方向に張り出している状態で位置している第３張出部と、
前記第２溝状部の前記第３方向の側の第４端部から前記第２方向に張り出している状態で位置しており且つ前記第３張出部と対向している状態で位置している第４張出部と、をさらに有している、太陽電池モジュール。
【請求項７】
請求項１から請求項６の何れか１つの請求項にそれぞれ記載の複数の太陽電池モジュールと、
設置対象部の上に位置し、前記複数の太陽電池モジュールを支持している状態で位置している支持部と、を備え、
前記複数の太陽電池モジュールは、前記第１方向において隣り合っている状態で位置している第１太陽電池モジュールおよび第２太陽電池モジュールを含み、
前記第１太陽電池モジュールにおける前記第１フレーム部材の前記第１凸状部は、前記第２太陽電池モジュールにおける前記第２フレーム部材の前記第２溝状部に嵌合している状態で位置している、太陽電池アレイ。
【請求項８】
請求項７に記載の太陽電池アレイであって、
前記第１太陽電池モジュールおよび前記第２太陽電池モジュールのうちの何れか一方の太陽電池モジュールが、前記支持部に固定されている状態で位置している、太陽電池アレイ。
【請求項９】
請求項８に記載の太陽電池アレイであって、
前記第１太陽電池モジュールの前記第１フレーム部材および前記第２太陽電池モジュールの前記第２フレーム部材のうちの何れか１つのフレーム部材が、前記支持部に固定されている状態で位置している、太陽電池アレイ。
【請求項１０】
請求項８に記載の太陽電池アレイであって、
前記複数の太陽電池モジュールのそれぞれにおいて、前記側面は、前記第１方向に直交している方向であって前記第１面に沿った第５方向の側に存在している第３側面と、前記第５方向とは逆の第６方向の側に存在している第４側面と、を含み、
前記複数の太陽電池モジュールのそれぞれが、前記第３側面に沿って位置している第３フレーム部材と、前記第４側面に沿って位置している第４フレーム部材と、を有し、
前記支持部は、前記第１方向に沿った長手方向を有している長尺部材を含んでおり、
前記第１太陽電池モジュールにおける前記第１フレーム部材の前記第１壁状部は、前記長尺部材の一部が位置している空間を形成している状態で位置している第１欠け部を有し、
前記第２太陽電池モジュールにおける前記第２フレーム部材の前記第２壁状部は、前記長尺部材の一部が位置している空間を形成している状態で位置している第２欠け部を有し、
前記第３フレーム部材は、前記長尺部材の前記第４方向の側において前記長尺部材に沿って位置している、太陽電池アレイ。
【請求項１１】
請求項１０に記載の太陽電池アレイであって、
前記長尺部材と前記第３フレーム部材との間に位置しているスペーサ部、をさらに備えている、太陽電池アレイ。
【請求項１２】
第１面、該第１面とは逆方向を向いている状態で位置している第２面、および前記第１面と前記第２面とを接続している状態で位置している側面を有する板状の太陽電池パネルの前記側面に沿って配置するための太陽電池モジュール用のフレーム部材ユニットであって、
前記側面のうちの第１側面に沿って配置するための第１フレーム部材と、
前記側面のうちの前記第１側面とは逆側に位置している第２側面に沿って配置するための第２フレーム部材と、を備えており、
前記第１フレーム部材は、前記太陽電池パネルのうちの前記第１側面に沿った第１外周部を嵌合させることが可能な溝状の第１被嵌合部と、
該第１被嵌合部における第１長手方向および第１奥行方向の双方に直交している第１幅方向において前記第１被嵌合部から延びている状態で位置している第１壁状部と、
該第１壁状部の前記第１奥行方向の側に位置し、前記第１奥行方向の側において開口しており且つ前記第１長手方向に沿って位置している第１溝状部と、
該第１溝状部の前記第１幅方向とは逆の第２幅方向の側において前記第１壁状部よりも前記第１奥行方向に突出している状態で位置している１つ以上の第１突出部を含む第１凸状部と、を有しており、
前記第２フレーム部材は、前記太陽電池パネルのうちの前記第２側面に沿った第２外周部を嵌合させることが可能な溝状の第２被嵌合部と、
該第２被嵌合部における第２長手方向および第２奥行方向の双方に直交している第３幅方向において前記第２被嵌合部から延びている状態で位置している第２壁状部と、
該第２壁状部の前記第２奥行方向の側において前記第２奥行方向の側において開口しており且つ前記第２長手方向に沿って位置している第２溝状部と、
該第２溝状部の前記第３幅方向とは逆の第４幅方向の側において前記第２壁状部よりも前記第２奥行方向に突出している状態で位置している１つ以上の第２突出部を含む第２凸状部と、を有しており、
前記第１幅方向において、前記第１溝状部の内部空間の幅は、前記第１被嵌合部の内部空間の幅よりも大きい、
前記第３幅方向において、前記第２溝状部の内部空間の幅は、前記第２被嵌合部の内部空間の幅よりも大きい、フレーム部材ユニット。
【発明の詳細な説明】
【技術分野】
【０００１】
本開示は、太陽電池モジュール、太陽電池アレイおよび太陽電池モジュール用のフレーム部材ユニットに関する。
【背景技術】
【０００２】
近年、環境保護の機運の高まりに伴って、環境負荷の少ない太陽光発電が注目されている。この太陽光発電の普及の拡大を図るために、例えば、屋根などの対象物の上に複数の太陽電池モジュールを配置した太陽電池アレイが注目されている。
【０００３】
このような太陽電池アレイには、外周部に沿ってフレームなどの嵌合用の部材がそれぞれ取り付けられた複数の太陽電池モジュールの間で、嵌合用の部材同士が相互に嵌合している状態で連結されているものが提案されている（例えば、下記の特許文献１の記載を参照）。
【先行技術文献】
【特許文献】
【０００４】
【特許文献１】特開２００３−５６１３１号公報
【発明の概要】
【発明が解決しようとする課題】
【０００５】
太陽電池アレイ、太陽電池アレイに用いる太陽電池モジュールおよび太陽電池モジュール用のフレーム部材ユニットについては、生産性を向上させる点で改善の余地がある。
【課題を解決するための手段】
【０００６】
太陽電池モジュール、太陽電池アレイおよび太陽電池モジュール用のフレーム部材ユニットが開示される。
【０００７】
太陽電池モジュールの一態様は、板状の太陽電池パネルと、第１フレーム部材と、第２フレーム部材と、を備えている。前記板状の太陽電池パネルは、第１面、該第１面とは逆方向を向いている状態で位置している第２面、および前記第１面と前記第２面とを接続している状態で位置している側面を有する。前記第１フレーム部材は、前記側面のうちの前記第１面に沿った第１方向の側に存在している第１側面に沿って位置している。前記第２フレーム部材は、前記側面のうちの前記第１方向とは逆の第２方向の側に存在している第２側面に沿って位置している。前記第１フレーム部材は、溝状の第１被嵌合部と、第１壁状部と、第１溝状部と、第１凸状部と、を有している。前記溝状の第１被嵌合部は、前記太陽電池パネルのうちの前記第１側面に沿った第１外周部が嵌まっている状態で位置している。前記第１壁状部は、前記太陽電池パネルの厚さ方向に沿って前記第１面から前記第２面に向かう第３方向において前記第１被嵌合部から延びている状態で位置している。前記第１溝状部は、前記第１壁状部の前記第１方向の側に位置し、前記第１方向の側において開口しており且つ前記第１側面の第１長手方向に沿って位置している。前記第１凸状部は、前記第１溝状部の前記第３方向とは逆の第４方向の側において前記第１壁状部よりも前記第１方向に突出している状態で位置している１つ以上の第１突出部を含む。前記第２フレーム部材は、溝状の第２被嵌合部と、第２壁状部と、第２溝状部と、第２凸状部と、を有している。前記溝状の第２被嵌合部は、前記太陽電池パネルのうちの前記第２側面に沿った第２外周部が嵌まっている状態で位置している。前記第２壁状部は、前記第３方向において前記第２被嵌合部から延びている状態で位置している。前記第２溝状部は、前記第２壁状部の前記第２方向の側に位置し、前記第２方向の側において開口しており且つ前記第２側面の第２長手方向に沿って位置している。前記第２凸状部は、前記第２溝状部の前記第４方向の側において前記第２壁状部よりも前記第２方向に突出している状態で位置している１つ以上の第２突出部を含む。前記第１溝状部および前記第２溝状部の内部空間の前記第３方向における幅は、前記太陽電池パネルの厚みよりも大きい。
【０００８】
太陽電池アレイの一態様は、複数の前記一態様の太陽電池モジュールと、支持部と、を備えている。前記支持部は、設置対象部の上に位置し、前記複数の太陽電池モジュールを支持している状態で位置している。前記複数の太陽電池モジュールは、前記第１方向において隣り合っている状態で位置している第１太陽電池モジュールおよび第２太陽電池モジュールを含む。前記第１太陽電池モジュールにおける前記第１フレーム部材の前記第１凸状部は、前記第２太陽電池モジュールにおける前記第２フレーム部材の前記第２溝状部に嵌合している状態で位置している。
【０００９】
フレーム部材ユニットの一態様は、第１面、該第１面とは逆方向を向いている状態で位置している第２面、および前記第１面と前記第２面とを接続している状態で位置している側面を有する板状の太陽電池パネルの前記側面に沿って配置するための太陽電池モジュール用のものである。前記フレーム部材ユニットの一態様は、第１フレーム部材と、第２フレーム部材と、を備えている。前記第１フレーム部材は、前記側面のうちの第１側面に沿って配置するためのものである。前記第２フレーム部材は、前記側面のうちの前記第１側面とは逆側に位置している第２側面に沿って配置するためのものである。前記第１フレーム部材は、溝状の第１被嵌合部と、第１壁状部と、第１溝状部と、第１凸状部と、を有している。前記溝状の第１被嵌合部は、前記太陽電池パネルのうちの前記第１側面に沿った第１外周部を嵌合させることが可能なものである。前記第１壁状部は、前記第１被嵌合部における第１長手方向および第１奥行方向の双方に直交している第１幅方向において前記第１被嵌合部から延びている状態で位置している。前記第１溝状部は、前記第１壁状部の前記第１奥行方向の側に位置し、前記第１奥行方向の側において開口しており且つ前記第１長手方向に沿って位置している。前記第１凸状部は、前記第１溝状部の前記第１幅方向とは逆の第２幅方向の側において前記第１壁状部よりも前記第１奥行方向に突出している状態で位置している１つ以上の第１突出部を含む。前記第２フレーム部材は、溝状の第２被嵌合部と、第２壁状部と、第２溝状部と、第２凸状部と、を有している。前記溝状の第２被嵌合部は、前記太陽電池パネルのうちの前記第２側面に沿った第２外周部を嵌合させることが可能なものである。前記第２壁状部は、前記第２被嵌合部における第２長手方向および第２奥行方向の双方に直交している第３幅方向において前記第２被嵌合部から延びている状態で位置している。前記第２溝状部は、前記第２壁状部の前記第２奥行方向の側において前記第２奥行方向の側において開口しており且つ前記第２長手方向に沿って位置している。前記第２凸状部は、前記第２溝状部の前記第３幅方向とは逆の第４幅方向の側において前記第２壁状部よりも前記第２奥行方向に突出している状態で位置している１つ以上の第２突出部を含む。前記第１幅方向において、前記第１溝状部の内部空間の幅は、前記第１被嵌合部の内部空間の幅よりも大きい。前記第３幅方向において、前記第２溝状部の内部空間の幅は、前記第２被嵌合部の内部空間の幅よりも大きい。
【発明の効果】
【００１０】
例えば、太陽電池アレイ、太陽電池アレイに用いる太陽電池モジュールおよび太陽電池モジュール用のフレーム部材ユニットの生産性を向上させることができる。
【図面の簡単な説明】
【００１１】
【図１】図１は、第１実施形態から第６実施形態に係る太陽電池装置の一例の外観を示す平面図である。
【図２】図２（ａ）は、第１実施形態から第６実施形態に係る太陽電池装置の一例の外観を示す正面図である。図２（ｂ）は、第１実施形態から第６実施形態に係る太陽電池装置の一例の外観を示す背面図である。
【図３】図３（ａ）は、第１実施形態から第６実施形態に係る太陽電池装置の一例の外観を示す右側面図である。図３（ｂ）は、第１実施形態から第６実施形態に係る太陽電池装置の一例の外観を示す左側面図である。
【図４】図４は、第１実施形態から第６実施形態に係る太陽電池装置の一例の外観を示す底面図である。
【図５】図５は、第１実施形態から第６実施形態に係る太陽電池装置の一例の外観を概略的に示す底面図である。図５は、図４のうちの屋根材の凹凸を示す線が省略された図である。
【図６】図６は、第１太陽電池アレイにおける太陽電池モジュールの一例の第１面側の外観を示す平面図である。
【図７】図７は、図６のVII−VII線に沿った太陽電池モジュールの切断面の一例を示す端面図である。
【図８】図８は、図７のVIII部における太陽電池モジュールの一部の断面を拡大して示す拡大端面図である。
【図９】図９（ａ）は、第１太陽電池アレイにおける連結前の第１太陽電池モジュールおよび第２太陽電池モジュールの一部の断面を示す端面図である。図９（ｂ）は、第１太陽電池アレイにおける連結後の第１太陽電池モジュールおよび第２太陽電池モジュールの一部の断面を示す端面図である。
【図１０】図１０は、第１屋根部分および第１太陽電池アレイの一部の一例の断面を示す断面図である。
【図１１】図１１は、図１０のXI−XI線に沿った支持部および第１屋根部分の切断面の一例を示す端面図である。
【図１２】図１２（ａ）は、第２実施形態に係る第１太陽電池アレイにおける太陽電池モジュールの一部の一例を示す側面図である。図１２（ｂ）は、図１２（ａ）のXIIb-XIIb線に沿った太陽電池モジュールの切断面の一例を示す断面図である。
【図１３】図１３は、第２実施形態に係る第１太陽電池アレイの一部の一例を示す断面図である。具体的には、図１３は、図１４のXIII−XIII線に沿った第１太陽電池アレイの一部の切断面の一例を示す断面図である。
【図１４】図１４は、図１３のXIV−XIV線に沿った第１太陽電池アレイの一部の切断面の一例を示す断面図である。
【図１５】図１５（ａ）は、第３実施形態に係る第１太陽電池アレイにおける連結前の第１太陽電池モジュールおよび第２太陽電池モジュールの一部の断面を示す端面図である。図１５（ｂ）は、第３実施形態に係る第１太陽電池アレイにおける連結後の第１太陽電池モジュールおよび第２太陽電池モジュールの一部の断面を示す端面図である。
【図１６】図１６（ａ）は、第３実施形態の一変形例に係る第１太陽電池アレイにおける連結前の第１太陽電池モジュールおよび第２太陽電池モジュールの一部の断面を示す端面図である。図１６（ｂ）は、第３実施形態の一変形例に係る第１太陽電池アレイにおける連結後の第１太陽電池モジュールおよび第２太陽電池モジュールの一部の断面を示す端面図である。
【図１７】図１７（ａ）は、第４実施形態に係る第１太陽電池アレイにおける連結前の第１太陽電池モジュールおよび第２太陽電池モジュールの一部の断面を示す端面図である。図１７（ｂ）は、第４実施形態に係る第１太陽電池アレイにおける連結後の第１太陽電池モジュールおよび第２太陽電池モジュールの一部の断面を示す端面図である。
【図１８】図１８（ａ）は、第４実施形態の一変形例に係る第１太陽電池アレイにおける連結前の第１太陽電池モジュールおよび第２太陽電池モジュールの一部の断面を示す端面図である。図１８（ｂ）は、第４実施形態の一変形例に係る第１太陽電池アレイにおける連結後の第１太陽電池モジュールおよび第２太陽電池モジュールの一部の断面を示す端面図である。
【図１９】図１９（ａ）は、第５実施形態に係る第１太陽電池アレイにおける連結前の第１太陽電池モジュールおよび第２太陽電池モジュールの一部の断面を示す端面図である。図１９（ｂ）は、第５実施形態に係る第１太陽電池アレイにおける連結後の第１太陽電池モジュールおよび第２太陽電池モジュールの一部の断面を示す端面図である。
【図２０】図２０（ａ）は、第６実施形態に係る第１太陽電池アレイにおける連結前の第１太陽電池モジュールおよび第２太陽電池モジュールの一部の断面を示す端面図である。図２０（ｂ）は、第６実施形態に係る第１太陽電池アレイにおける連結途中の第１太陽電池モジュールおよび第２太陽電池モジュールの一部の断面を示す端面図である。図２０（ｃ）は、第６実施形態に係る第１太陽電池アレイにおける連結後の第１太陽電池モジュールおよび第２太陽電池モジュールの一部の断面を示す端面図である。
【図２１】図２１（ａ）は、第６実施形態の一変形例に係る第１太陽電池アレイにおける連結前の第１太陽電池モジュールおよび第２太陽電池モジュールの一部の断面を示す端面図である。図２１（ｂ）は、第６実施形態の一変形例に係る第１太陽電池アレイにおける連結途中の第１太陽電池モジュールおよび第２太陽電池モジュールの一部の断面を示す端面図である。図２１（ｃ）は、第６実施形態の一変形例に係る第１太陽電池アレイにおける連結後の第１太陽電池モジュールおよび第２太陽電池モジュールの一部の断面を示す端面図である。
【発明を実施するための形態】
【００１２】
屋根などの対象物の上に複数の太陽電池モジュールが配置された太陽電池アレイが知られている。この太陽電池アレイでは、各太陽電池モジュールは、外周部にアルミニウムなどを用いた金属製のフレームが取り付けられている構成を有する場合がある。例えば、複数の太陽電池モジュールの間において、フレームが相互に嵌合している状態で連結している構成が採用され得る。
【００１３】
このような構成を実現するために、例えば、各太陽電池モジュールにおいて、軒側のフレームと棟側のフレームとが、相互に嵌合可能となるように互いに異なる構成を有していれば、複数種類のフレームの在庫管理が複雑になり得る。また、例えば、異なる構成のフレームを製造するためには、複数の金型が必要となり、フレームの生産性が低下し得る。これにより、太陽電池アレイ、この太陽電池アレイに用いる太陽電池モジュールおよび太陽電池モジュール用のフレーム部材ユニットの生産性が低下し得る。
【００１４】
そこで、本願発明者らは、太陽電池アレイ、この太陽電池アレイに用いる太陽電池モジュールおよび太陽電池モジュール用のフレーム部材ユニットの生産性を向上させることができる技術を創出した。
【００１５】
これについて、以下、各種実施形態を図面に基づいて説明する。図面においては同様な構成および機能を有する部分に同じ符号が付されており、下記説明では重複説明が省略される。図面は模式的に示されたものである。図１から図５には、右手系のＸＹＺ（大文字で表記）座標系が付されている。このＸＹＺ座標系では、太陽電池装置１００の軒が延びている方向が＋Ｘ方向とされ、基準面Ｇ０としての地面に沿った水平方向のうちの＋Ｘ方向と直交する方向が＋Ｙ方向とされ、＋Ｘ方向と＋Ｙ方向との両方に直交する垂直方向が＋Ｚ方向とされている。また、図３（ａ）、図３（ｂ）および図６から図２１（ｃ）には、右手系のｘｙｚ（小文字で表記）座標系が付されている。このｘｙｚ座標系では、第１屋根部分３１において、軒から棟に向けた第１方向が＋ｙ方向とされ、棟から軒に向けた第２方向が−ｙ方向とされている。また、このｘｙｚ座標系では、太陽電池パネルＰｎ１における厚さ方向に沿った第１面Ｆｓ１から第２面Ｂｓ１に向かう第３方向が−ｚ方向とされ、第２面Ｂｓ１から第１面Ｆｓ１に向けた第４方向が＋ｚ方向とされている。また、このｘｙｚ座標系では、第１屋根部分３１において、軒が延びている第５方向が＋ｘ方向とされ、軒が延びている第５方向とは逆の第６方向が−ｘ方向とされている。
【００１６】
＜１．第１実施形態＞
図１から図６で示されるように、第１実施形態に係る太陽電池装置１００は、例えば、基準面Ｇ０の上に位置している。基準面Ｇ０としては、例えば、地面が採用される。
【００１７】
＜１−１．太陽電池装置の概略構成＞
図１から図６で示されるように、太陽電池装置１００は、例えば、基準部１と、支持構造体２と、屋根部３と、太陽電池アレイ４と、を備えている。
【００１８】
基準部１は、例えば、第１柱部１１、第２柱部１２および第３柱部１３を含んでいる。第１柱部１１、第２柱部１２および第３柱部１３は、例えば、相互に離れている状態で、基準面Ｇ０に対して立っている状態で位置している。図１から図６の例では、第１柱部１１、第２柱部１２および第３柱部１３のそれぞれの長手方向は、基準面Ｇ０に対して垂直な＋Ｚ方向に沿った方向である。そして、第１柱部１１、第２柱部１２および第３柱部１３は、＋Ｘ方向に沿った一直線上に並んでいる状態で位置している。また、第１柱部１１、第２柱部１２および第３柱部１３のそれぞれの−Ｚ方向の端部は、基準面Ｇ０を成す部分に埋められている状態で位置している。例えば、基準面Ｇ０が地面であれば、第１柱部１１、第２柱部１２および第３柱部１３のそれぞれの−Ｚ方向の端部が、地中に埋められている状態で位置している。ここで、例えば、第１柱部１１、第２柱部１２および第３柱部１３には、強度および耐腐食性などに優れた金属製の素材が適用される。基準部１は、例えば、４本以上の柱部を有していてもよいし、２本以下の柱部を有していてもよい。
【００１９】
支持構造体２は、例えば、棟部２１と、複数の梁部２２と、複数の桁部２３と、を有している。
【００２０】
棟部２１は、例えば、太陽電池装置１００の頂部において基準部１によって支持されている状態で位置している。図１から図６の例では、棟部２１は、＋Ｘ方向に沿って位置している長尺の部分であり、第１柱部１１、第２柱部１２および第３柱部１３を含む基準部１によって支持されている状態で位置している。ここで、例えば、棟部２１には、耐腐食性などに優れた素材が適用される。
【００２１】
複数の梁部２２は、例えば、基準部１あるいは棟部２１から水平方向に突出するように位置している。ここで、例えば、図４および図５で示されるように、＋Ｚ方向に複数の梁部２２を平面視する場合を想定する。この場合には、複数の梁部２２は、棟部２１から−Ｙ方向に向かって延びるように存在し且つ＋Ｘ方向に互いに離れて並んでいる第１梁部２２ａ、第２梁部２２ｂ、第３梁部２２ｃ、第４梁部２２ｄおよび第５梁部２２ｅを有している。また、この場合には、複数の梁部２２は、棟部２１から＋Ｙ方向に向かって延びるように存在し且つ＋Ｘ方向に互いに離れて並んでいる第６梁部２２ｆ、第７梁部２２ｇ、第８梁部２２ｈ、第９梁部２２ｉおよび第１０梁部２２ｊを有している。第１梁部２２ａ、第２梁部２２ｂ、第３梁部２２ｃ、第４梁部２２ｄおよび第５梁部２２ｅと、第６梁部２２ｆ、第７梁部２２ｇ、第８梁部２２ｈ、第９梁部２２ｉおよび第１０梁部２２ｊとは、棟部２１を通り且つＸＺ平面に沿った仮想的な平面（仮想平面ともいう）Ｖｓ１を基準として面対称の関係を有している。ここで、例えば、複数の梁部２２には、強度および耐腐食性などに優れた金属製の素材が適用される。複数の梁部２２は、例えば、１１本以上の梁部を有していてもよいし、９本以下の梁部を有していてもよい。
【００２２】
複数の桁部２３は、例えば、複数の梁部２２に対して固定されている状態で位置している。桁部２３の長手方向は、＋Ｘ方向に沿った方向である。図３（ａ）から図５の例では、複数の桁部２３には、５本の第１梁部２２ａ、第２梁部２２ｂ、第３梁部２２ｃ、第４梁部２２ｄおよび第５梁部２２ｅにわたって架設された状態で位置している第１桁部２３１、第２桁部２３２および第３桁部２３３が含まれている。ここで、第１桁部２３１、第２桁部２３２および第３桁部２３３は、＋ｙ方向において、互いに離れている状態で並んでいる。３本の第１桁部２３１、第２桁部２３２および第３桁部２３３のうち、第１桁部２３１が−ｙ方向の側の軒を構成している状態で位置し、第３桁部２３３が棟部２１に沿って位置し、第２桁部２３２が、第１桁部２３１と第３桁部２３３との間に位置している。また、複数の桁部２３には、５本の第６梁部２２ｆ、第７梁部２２ｇ、第８梁部２２ｈ、第９梁部２２ｉおよび第１０梁部２２ｊにわたって架設された状態で位置している第４桁部２３４、第５桁部２３５および第６桁部２３６が含まれている。ここで、３本の第４桁部２３４、第５桁部２３５および第６桁部２３６のうち、第６桁部２３６が＋Ｙ方向の側の軒を構成している状態で位置し、第４桁部２３４が棟部２１に沿って位置し、第５桁部２３５が、第４桁部２３４と第６桁部２３６との間に位置している。３本の第１桁部２３１、第２桁部２３２および第３桁部２３３と、３本の第４桁部２３４、第５桁部２３５および第６桁部２３６とは、仮想平面Ｖｓ１を基準として面対称の関係を有している。ここで、例えば、複数の桁部２３には、強度および耐腐食性などに優れた金属製の素材が適用される。複数の桁部２３の数は、例えば、７本以上でもよいし、５本以下でもよい。
【００２３】
屋根部３は、第１屋根部分３１と、第２屋根部分３２と、を有している。第１屋根部分３１は、下地材としての３本の第１桁部２３１、第２桁部２３２および第３桁部２３３の上に位置している。第２屋根部分３２は、下地材としての３本の第４桁部２３４、第５桁部２３５および第６桁部２３６の上に位置している。第１屋根部分３１は、−Ｙ方向に行く程−Ｚ方向に向かうように傾斜している状態で位置している。第２屋根部分３２は、＋Ｙ方向に行く程−Ｚ方向に向かうように傾斜している状態で位置している。ここで、例えば、第１屋根部分３１と第２屋根部分３２との間において、仮想平面Ｖｓ１を基準として面対称の関係を有している構成が採用され得る。第１屋根部分３１および第２屋根部分３２のそれぞれには、例えば、波板などの屋根材が採用される。波板には、例えば、樹脂製の波板、スレート波板あるいは鉄製の波板などが採用される。波板は、例えば、棟から軒へ向かう方向に沿ってそれぞれ延びている状態で位置している凸状部分と凹状部分とが、軒に沿うように延びる＋Ｘ方向において交互に並んでいる状態で位置している構造を有している。
【００２４】
太陽電池アレイ４は、例えば、設置対象部としての屋根部３の上に位置している。図１から図５の例では、太陽電池アレイ４は、例えば、第１太陽電池アレイ４１と、第２太陽電池アレイ４２と、を有している。第１太陽電池アレイ４１は、第１屋根部分３１の上に位置している。第２太陽電池アレイ４２は、第２屋根部分３２の上に位置している。第１太陽電池アレイ４１および第２太陽電池アレイ４２のそれぞれは、複数の太陽電池モジュールＭｏ１を有している。第１太陽電池アレイ４１および第２太陽電池アレイ４２のそれぞれにおいては、複数の太陽電池モジュールＭｏ１が連結されている状態で位置している。図１から図５の例では、第１太陽電池アレイ４１および第２太陽電池アレイ４２のそれぞれは、棟あるいは軒に沿った方向（＋Ｘ方向）に沿って並んでいる７枚の太陽電池モジュールＭｏ１が、棟側から軒側に向けて６列並んでいる状態の構造を有している。換言すれば、第１太陽電池アレイ４１および第２太陽電池アレイ４２のそれぞれは、マトリックス状に並べられた状態で位置している４２枚の太陽電池モジュールＭｏ１を有している。ここで、例えば、第１太陽電池アレイ４１と第２太陽電池アレイ４２との間において、仮想平面Ｖｓ１を基準として面対称の関係を有している構成が採用され得る。また、各太陽電池モジュールＭｏ１は、例えば、屋根部３上に固定された状態で位置している支持部Ｓｔ１（図１０など参照）などによって支持あるいは保持されている状態で位置している。
【００２５】
上記のような構造を有する太陽電池装置１００は、例えば、屋外において駐停車中の自動車などを雨水から保護するためのカーポートなどに適用され得る。
【００２６】
＜１−２．太陽電池モジュール＞
図６および図７で示されるように、各太陽電池モジュールＭｏ１は、例えば、太陽電池パネルＰｎ１と、この太陽電池パネルＰｎ１の外縁部を補強しているフレームＦ１と、を有している。
【００２７】
＜１−２−１．太陽電池パネル＞
太陽電池パネルＰｎ１は板状であり、例えば、第１面Ｆｓ１と、この第１面Ｆｓ１とは逆方向を向いている状態で位置している第２面Ｂｓ１と、第１面Ｆｓ１と第２面Ｂｓ１とを接続している状態で位置している側面Ｓｓ１と、有している。ここで、第１面Ｆｓ１は、例えば、主として光を受光するための面である。第２面Ｂｓ１は、例えば、太陽電池パネルＰｎ１の裏面として使用されるための面である。図６の例では、太陽電池パネルＰｎ１の側面Ｓｓ１には、第１側面Ｓｓ１１、第２側面Ｓｓ１２、第３側面Ｓｓ１３および第４側面Ｓｓ１４が含まれている。第１側面Ｓｓ１１は、側面Ｓｓ１のうちの第１面Ｆｓ１に沿った第１方向（＋ｙ方向）の側に存在している。第１側面Ｓｓ１１は、例えば、第５方向（＋ｘ方向）に沿って位置している。第２側面Ｓｓ１２は、側面Ｓｓ１のうちの第１方向（＋ｙ方向）とは逆の第２方向（−ｙ方向）の側に存在している。第２側面Ｓｓ１２は、例えば、第５方向（＋ｘ方向）に沿って位置している。第３側面Ｓｓ１３は、側面Ｓｓ１のうちの第１方向（＋ｙ方向）に直交し且つ第１面Ｆｓ１に沿った第５方向（＋ｘ方向）の側に存在している。第３側面Ｓｓ１３は、例えば、第１方向（＋ｙ方向）に沿って位置している。第４側面Ｓｓ１４は、側面Ｓｓ１のうちの第３方向（＋ｘ方向）とは逆の第４方向（−ｘ方向）の側に存在している。第４側面Ｓｓ１４は、例えば、第１方向（＋ｙ方向）に沿って位置している。
【００２８】
図６から図８で示されるように、太陽電池パネルＰｎ１は、例えば、第１面Ｆｓ１側から第２面Ｂｓ１側へ、順に、第１保護部材Ｐｔ１、第１封止材Ｓｅ１１と、光電変換部Ｐｃ１と、第２封止材Ｓｅ１２と、第２保護部材Ｐｔ２と、端子ボックスＢｘ１と、を備えている。
【００２９】
第１保護部材Ｐｔ１は板状の部材であり、例えば、光電変換部Ｐｃ１の第１面Ｆｓ１側に位置している。ここでは、第１保護部材Ｐｔ１の＋ｚ方向の側の表面が第１面Ｆｓ１を構成している。第１保護部材Ｐｔ１は、例えば、光電変換部Ｐｃ１を保護する役割と、光電変換部Ｐｃ１を封止する役割と、を有する。第１保護部材Ｐｔ１は、例えば、特定範囲の波長の光に対する透光性を有している。特定範囲の波長としては、例えば、太陽電池パネルＰｎ１に照射される光に含まれる強度が高い光の波長であって、光電変換部Ｐｃ１が光電変換し得る光の波長が採用される。第１保護部材Ｐｔ１の素材として、例えば、ガラスあるいはアクリルまたはポリカーボネートなどの樹脂が採用されれば、透光性を有する第１保護部材Ｐｔ１が実現され得る。
【００３０】
第１封止材Ｓｅ１１は、例えば、第１保護部材Ｐｔ１と光電変換部Ｐｃ１との間に位置している。第２封止材Ｓｅ１２は、例えば、光電変換部Ｐｃ１と第２保護部材Ｐｔ２との間に位置している。換言すれば、第１封止材Ｓｅ１１と第２封止材Ｓｅ１２とを含む封止材Ｓｅ１が、例えば、光電変換部Ｐｃ１を覆うように、第１保護部材Ｐｔ１と第２保護部材Ｐｔ２との間に充填された状態で位置している。封止材Ｓｅ１は、例えば、光電変換部Ｐｃ１を保持する役割と、光電変換部Ｐｃ１を封止する役割と、を有する。封止材Ｓｅ１は、第１保護部材Ｐｔ１と同様に透光性を有している。封止材Ｓｅ１の素材には、例えば、熱硬化性樹脂などが採用される。熱硬化性樹脂には、例えば、エチレン酢酸ビニル共重合体（ＥＶＡ）あるいはポリビニルブチラール（ＰＶＢ）を主成分とするものが含まれる。熱硬化性樹脂には、架橋剤が含有されてもよい。ここで、主成分とは、含有される比率（含有率ともいう）が最も大きい（高い）成分のことを意味する。
【００３１】
光電変換部Ｐｃ１は、例えば、複数の太陽電池素子Ｃ１と、複数の第１配線材Ｗｒ１と、複数の第２配線材Ｗｒ２と、を有している。図６の例では、光電変換部Ｐｃ１では、複数の太陽電池素子Ｃ１は、２次元的に並んでいる状態で位置している。具体的には、光電変換部Ｐｃ１には、例えば、複数（ここでは、４つ）の太陽電池ストリングＳｇ１が含まれている。各太陽電池ストリングＳｇ１は、例えば、複数（ここでは、６個）の太陽電池素子Ｃ１と、複数の第１配線材Ｗｒ１と、を含む。複数の第１配線材Ｗｒ１は、例えば、複数の太陽電池素子Ｃ１のうちの相互に隣り合う太陽電池素子Ｃ１の間をそれぞれ電気的に直列に接続している。複数の第２配線材Ｗｒ２は、複数の太陽電池ストリングＳｇ１のうちの相互に隣り合う太陽電池ストリングＳｇ１の間をそれぞれ電気的に接続している。
【００３２】
第２保護部材Ｐｔ２は、例えば、光電変換部Ｐｃ１の第２面Ｂｓ１側に位置している。ここでは、第２保護部材Ｐｔ２の−ｚ方向の側の表面が第２面Ｂｓ１を構成している。第２保護部材Ｐｔ２は、例えば、光電変換部Ｐｃ１を保護する役割と、光電変換部Ｐｃ１を封止する役割と、を有する。第２保護部材Ｐｔ２は、例えば、透光性を有していてもよいし、透光性を有していなくてもよい。第２保護部材Ｐｔ２としては、例えば、柔軟性を有するシート状の部材（シート部材ともいう）あるいは板状の部材などが採用される。シート部材の素材には、例えば、樹脂が適用される。板状の部材の素材には、例えば、第１保護部材Ｐｔ１の素材と同様なものが採用され得る。
【００３３】
端子ボックスＢｘ１は、光電変換部Ｐｃ１で得られた出力を外部に取り出すことができる。端子ボックスＢｘ１は、例えば、第２面Ｂｓ１上に位置している。端子ボックスＢｘ１は、例えば、シリコンシーラントなどの樹脂が用いられて、第２面Ｂｓ１に固定され得る。端子ボックスＢｘ１は、例えば、箱体と、端子板と、ケーブルと、を有している。箱体の素材には、例えば、変性ポリフェニレンエーテル樹脂（変性ＰＰＥ樹脂）またはポリフェニレンオキサイド樹脂（ＰＰＯ樹脂）が適用される。端子板は、箱体内に位置しており、光電変換部Ｐｃ１の第２配線材Ｗｒ２が接続されている。ケーブルは、箱体の外部へ電力を導出することができる。
【００３４】
＜１−２−２．フレーム＞
フレームＦ１は、例えば、太陽電池パネルＰｎ１が嵌合することが可能な構造を有している。このフレームＦ１は、太陽電池パネルＰｎ１の側面Ｓｓ１およびこの側面Ｓｓ１に沿った外周部を保持する機能を有する。第１実施形態では、例えば、図６で示されるように、フレームＦ１は、第１フレーム部材Ｆ１１と、第２フレーム部材Ｆ１２と、第３フレーム部材Ｆ１３と、第４フレーム部材Ｆ１４と、を有している。第１フレーム部材Ｆ１１は、第１側面Ｓｓ１１に沿って位置している。第２フレーム部材Ｆ１２は、第２側面Ｓｓ１２に沿って位置している。第３フレーム部材Ｆ１３は、第３側面Ｓｓ１３に沿って位置している。第４フレーム部材Ｆ１４は、第４側面Ｓｓ１４に沿って位置している。フレームＦ１では、例えば、第１フレーム部材Ｆ１１に対して第３フレーム部材Ｆ１３および第４フレーム部材Ｆ１４がネジなどの締結部材によって固定されている状態にある。また、フレームＦ１では、例えば、第２フレーム部材Ｆ１２に対して第３フレーム部材Ｆ１３および第４フレーム部材Ｆ１４がネジなどの締結部材によって固定されている状態にある。第１フレーム部材Ｆ１１、第２フレーム部材Ｆ１２、第３フレーム部材Ｆ１３および第４フレーム部材Ｆ１４は、例えば、アルミニウムの押し出し成形などで作製され得る。
【００３５】
第１フレーム部材Ｆ１１は、例えば、第１被嵌合部Ｆｔ１と、第１壁状部Ｗｌ１と、第１溝状部Ｔｒ１と、第１凸状部Ｃｖ１と、を有している。
【００３６】
第１被嵌合部Ｆｔ１は、太陽電池パネルＰｎ１のうちの第１側面Ｓｓ１１に沿った外周部分（第１外周部ともいう）Ｅｐ１が嵌まっている状態で位置している溝状の部分である。図８の例では、第１被嵌合部Ｆｔ１は、ｙｚ平面に沿った断面が−ｙ方向の側が開口しているＵ字状の部分である。第１被嵌合部Ｆｔ１の内部の空間（第１内部空間ともいう）Ｓｐ１における奥行き方向（第１奥行方向ともいう）は、第１方向（＋ｙ方向）である。第３方向（−ｚ方向）において、第１内部空間Ｓｐ１の幅は、太陽電池パネルＰｎ１の厚さ以上である。ここでは、第１被嵌合部Ｆｔ１は、例えば、第１部分Ｐａ１と、第２部分Ｐａ２と、第３部分Ｐａ３と、を有している。第１部分Ｐａ１は、第４方向（＋ｚ方向）の側において太陽電池パネルＰｎ１の第１面Ｆｓ１と対向している状態で位置している。第２部分Ｐａ２は、第３方向（−ｚ方向）の側において太陽電池パネルＰｎ１の第２面Ｂｓ１と対向している状態で位置している。第３部分Ｐａ３は、第１部分Ｐａ１の第１方向（＋ｙ方向）の側の部分と第２部分Ｐａ２の第１方向（＋ｙ方向）の側の部分とを連結しており且つ太陽電池パネルＰｎ１の第１側面Ｓｓ１１に対向している状態で位置している。
【００３７】
第１壁状部Ｗｌ１は、太陽電池パネルＰｎ１の厚さ方向に沿って第１面Ｆｓ１から第２面Ｂｓ１に向かう第３方向（−ｚ方向）において第１被嵌合部Ｆｔ１から延びている状態で位置している部分である。図８の例では、第１壁状部Ｗｌ１は、第１被嵌合部Ｆｔ１のうちの第２部分Ｐａ２の第２方向（−ｙ方向）の側の端部から第３方向（−ｚ方向）に延びている状態で位置している。ここでは、第１壁状部Ｗｌ１は、例えば、ｘｚ平面に沿った平板状の形状を有している。
【００３８】
第１溝状部Ｔｒ１は、第１壁状部Ｗｌ１の第１方向（＋ｙ方向）の側に位置している。この第１溝状部Ｔｒ１は、第１方向（＋ｙ方向）の側において開口しており且つ第１側面Ｓｓ１１の長手方向（第１長手方向ともいう）としての＋ｘ方向に沿って位置している。図８の例では、第１溝状部Ｔｒ１は、第１被嵌合部Ｆｔ１の第２部分Ｐａ２と、第１壁状部Ｗｌ１の第１方向（＋ｙ方向）の側から第１方向（＋ｙ方向）に突起している状態で位置している第１突起部Ｐｊ１と、第１壁状部Ｗｌ１と、で形成されている状態にある。この第１溝状部Ｔｒ１の奥行き方向は、第２方向（−ｙ方向）である。
【００３９】
第１凸状部Ｃｖ１は、第１突出部Ｏｈ１を含んでいる。この第１突出部Ｏｈ１は、第１溝状部Ｔｒ１の第３方向（−ｚ方向）とは逆の第４方向（＋ｚ方向）の側において、第１壁状部Ｗｌ１よりも第１方向（＋ｙ方向）に突出している状態で位置している部分である。図８の例では、第１被嵌合部Ｆｔ１を形成している状態で位置している第１部分Ｐａ１、第２部分Ｐａ２および第３部分Ｐａ３が、第１突出部Ｏｈ１を構成している状態で存在している。このため、第１被嵌合部Ｆｔ１が、第１凸状部Ｃｖ１内に位置している状態にある。これにより、第１フレーム部材Ｆ１１を構成する素材の量が減り、第１太陽電池アレイ４１を製造するために要する素材の量が低減され得る。
【００４０】
ここで、例えば、第３方向（−ｚ方向）において、第１凸状部Ｃｖ１の幅（第１の幅ともいう）Ｗ１は、第１溝状部Ｔｒ１の内部空間Ｉｓ１の幅（第２の幅ともいう）Ｗ２と、略同一である。この第２の幅Ｗ２は、例えば、第３方向（−Ｚ方向）における太陽電池パネルＰｎ１の厚みよりも大きい。
【００４１】
また、図８の例では、第１フレーム部材Ｆ１１は、第１凸状部Ｃｖ１の第１方向（＋ｙ方向）の側に第１張出部Ｐｒ１を有している。この第１張出部Ｐｒ１は、第１凸状部Ｃｖ１の第３方向（−ｚ方向）の側の端部（第１端部ともいう）Ｅｄ１から第１方向（＋ｙ方向）に張り出している状態で位置している部分である。別の観点から言えば、この第１張出部Ｐｒ１は、第１溝状部Ｔｒ１の第４方向（＋ｚ方向）の側の第１端部Ｅｄ１から第１方向（＋ｙ方向）に張り出している状態で位置している部分である。ここでは、第１張出部Ｐｒ１の形状としては、例えば、板状のものが採用され得る。この第１張出部Ｐｒ１は、第２部分Ｐａ２の第１方向（＋ｙ方向）の側の第１端部Ｅｄ１に連結している状態で位置している。これにより、第２部分Ｐａ２が、第１張出部Ｐｒ１の存在によって、第３部分Ｐａ３と連結している第１端部Ｅｄ１を実質的に超えて延びているように位置している状態となっている。また、図８の例では、第１フレーム部材Ｆ１１は、第１溝状部Ｔｒ１の第３方向（−ｚ方向）の側の端部（第２端部ともいう）Ｅｄ２から第１方向（＋ｙ方向）に張り出している状態で位置している第２張出部Ｐｒ２を有している。この第２張出部Ｐｒ２は、第１張出部Ｐｒ１と対向している状態で位置している部分である。ここでは、第２張出部Ｐｒ２は板状の部分である。第２張出部Ｐｒ２の形状としては、例えば、板状のものが採用され得る。ここで、別の観点から言えば、第２張出部Ｐｒ２は、第１突起部Ｐｊ１の第１方向（＋ｙ方向）の側の第２端部Ｅｄ２に連結している状態で位置している。このように、第１張出部Ｐｒ１および第２張出部Ｐｒ２が存在していれば、第１溝状部Ｔｒ１の奥行き方向（−ｙ方向）における奥行きが実質的に大きくなり得る。
【００４２】
また、第１実施形態では、第１フレーム部材Ｆ１１は、例えば、第１被支持部Ｆｇ１を有している。この第１被支持部Ｆｇ１は、例えば、第１壁状部Ｗｌ１の第３方向（−ｚ方向）の側の端部に連結している状態で位置している。換言すれば、第１被支持部Ｆｇ１は、第１壁状部Ｗｌ１のうちの第１溝状部Ｔｒ１よりも第３方向（−ｚ方向）の側に連結している状態で位置している。第１被支持部Ｆｇ１としては、例えば、ｘｙ平面に沿った平板状の部分が採用される。図８の例では、第１被支持部Ｆｇ１は、第１壁状部Ｗｌ１の第３方向（−ｚ方向）の側の端部から第１方向（＋ｙ方向）に突出している状態で位置している。第１被支持部Ｆｇ１は、例えば、屋根部３上に位置している支持部Ｓｔ１（図１０参照）によって支持されている状態で位置している。また、第１実施形態では、第１被支持部Ｆｇ１は、例えば、支持部Ｓｔ１と固定用具Ｆｃ１（図１０参照）とによって屋根部３に固定されている状態で位置している。
【００４３】
図６、図７および図９（ａ）で示されるように、第２フレーム部材Ｆ１２は、例えば、第１フレーム部材Ｆ１１と同様に、第２被嵌合部Ｆｔ２と、第２壁状部Ｗｌ２と、第２溝状部Ｔｒ２と、第２凸状部Ｃｖ２と、を有している。ここで、例えば、第１フレーム部材Ｆ１１における第１側面Ｓｓ１１の第１長手方向（＋ｘ方向）に垂直な断面を第１断面とし、第２フレーム部材Ｆ１２における第２側面Ｓｓ１２の長手方向（第２長手方向ともいう）としての＋ｘ方向に垂直な断面を第２断面とする。この場合に、例えば、図７で示されるように、第１断面の形状と、第２断面の形状とが、第１方向（＋ｙ方向）に垂直な仮想的な平面（第１仮想平面ともいう）Ｐｖ１を基準として面対称の関係を有する構成が、実現され得る。図７の例では、第１仮想平面Ｐｖ１は、太陽電池パネルＰｎ１の略中央を通り且つｘｚ平面に沿った平面である。
【００４４】
このように、例えば、１つの太陽電池モジュールＭｏ１において、相対する第１フレーム部材Ｆ１１と第２フレーム部材Ｆ１２とが同様な断面を有していれば、第１フレーム部材Ｆ１１と第２フレーム部材Ｆ１２とが同様な形状を有する部材となり得る。このため、太陽電池アレイ４に用いられるフレームＦ１を構成する部材の種類が削減され得る。これにより、第１フレーム部材Ｆ１１および第２フレーム部材Ｆ１２を含む複数の部材の在庫管理が簡単になり得る。また、例えば、同様な形状を有している第１フレーム部材Ｆ１１と第２フレーム部材Ｆ１２とを、共通の金型を用いて効率よく製造することが可能となる。これにより、例えば、太陽電池アレイ４およびこの太陽電池アレイ４に用いる太陽電池モジュールＭｏ１の生産性が向上し得る。
【００４５】
図９（ａ）で示されるように、第２被嵌合部Ｆｔ２は、太陽電池パネルＰｎ１のうちの第２側面Ｓｓ１２に沿った外周部分（第２外周部ともいう）Ｅｐ２が嵌まっている状態で位置している溝状の部分である。図９（ａ）の例では、第２被嵌合部Ｆｔ２は、ｙｚ平面に沿った断面が第１方向（＋ｙ方向）の側が開口しているＵ字状の部分である。第２被嵌合部Ｆｔ２の内部の空間（第２内部空間ともいう）Ｓｐ２における奥行き方向（第２奥行方向ともいう）は、第２方向（−ｙ方向）である。第３方向（−ｚ方向）において、第２内部空間Ｓｐ２の幅は、太陽電池パネルＰｎ１の厚さ以上である。ここでは、第２被嵌合部Ｆｔ２は、例えば、第４部分Ｐａ４と、第５部分Ｐａ５と、第６部分Ｐａ６と、を有している。第４部分Ｐａ４は、第４方向（＋ｚ方向）の側において太陽電池パネルＰｎ１の第１面Ｆｓ１と対向している状態で位置している。第５部分Ｐａ５は、第３方向（−ｚ方向）の側において太陽電池パネルＰｎ１の第２面Ｂｓ１と対向している状態で位置している。第６部分Ｐａ６は、第４部分Ｐａ４の第１方向（−ｙ方向）の側の部分と第５部分Ｐａ５の第１方向（−ｙ方向）の側の部分とを連結しており且つ太陽電池パネルＰｎ１の第２側面Ｓｓ１２に対向している状態で位置している。
【００４６】
第２壁状部Ｗｌ２は、太陽電池パネルＰｎ１の厚さ方向に沿って第１面Ｆｓ１から第２面Ｂｓ１に向かう第３方向（−ｚ方向）において第２被嵌合部Ｆｔ２から延びている状態で位置している部分である。図９（ａ）の例では、第２壁状部Ｗｌ２は、第２被嵌合部Ｆｔ２のうちの第５部分Ｐａ５の第１方向（＋ｙ方向）の側の端部から第３方向（−ｚ方向）に延びている状態で位置している。ここでは、第２壁状部Ｗｌ２は、例えば、ｘｚ平面に沿った平板状の形状を有している。
【００４７】
第２溝状部Ｔｒ２は、第２壁状部Ｗｌ２の第２方向（−ｙ方向）の側に位置している。この第２溝状部Ｔｒ２は、第２方向（−ｙ方向）の側において開口しており且つ第２側面Ｓｓ１２の長手方向（第２長手方向）としての＋ｘ方向に沿って位置している。図９（ａ）の例では、第２溝状部Ｔｒ２は、第２被嵌合部Ｆｔ２の第５部分Ｐａ５と、第２壁状部Ｗｌ２の第１方向（＋ｙ方向）の側から第２方向（−ｙ方向）に突起している状態で位置している第２突起部Ｐｊ２と、第２壁状部Ｗｌ２と、で形成されている状態にある。この第２溝状部Ｔｒ２の奥行き方向は、第１方向（＋ｙ方向）である。
【００４８】
第２凸状部Ｃｖ２は、第２突出部Ｏｈ２を含んでいる。この第２突出部Ｏｈ２は、第２溝状部Ｔｒ２の第３方向（−ｚ方向）とは逆の第４方向（＋ｚ方向）の側において、第２壁状部Ｗｌ２よりも第２方向（−ｙ方向）に突出している状態で位置している部分である。図９（ａ）の例では、第２被嵌合部Ｆｔ２を形成している状態で位置している第４部分Ｐａ４、第５部分Ｐａ５および第６部分Ｐａ６が、第２突出部Ｏｈ２を構成している状態で存在している。このため、第２被嵌合部Ｆｔ２が、第２凸状部Ｃｖ２内に位置している状態にある。これにより、第２フレーム部材Ｆ１２を構成する素材の量が減り、第１太陽電池アレイ４１を製造するために要する素材の量が低減され得る。
【００４９】
ここで、例えば、第３方向（−ｚ方向）において、第２凸状部Ｃｖ２の幅は第１凸状部Ｃｖ１の第１の幅Ｗ１と同一であり、第２溝状部Ｔｒ２の内部空間Ｉｓ２の幅は第１溝状部Ｔｒ１の内部空間Ｉｓ１の第２の幅Ｗ２と同一である。この第２の幅Ｗ２は、例えば、第３方向（−Ｚ方向）における太陽電池パネルＰｎ１の厚みよりも大きい。
【００５０】
また、図９（ａ）の例では、第２フレーム部材Ｆ１２は、第２凸状部Ｃｖ２の第２方向（−ｙ方向）の側に第３張出部Ｐｒ３を有している。この第３張出部Ｐｒ３は、第２凸状部Ｃｖ２の第３方向（−ｚ方向）の側の端部（第３端部ともいう）Ｅｄ３から第２方向（−ｙ方向）に張り出している状態で位置している部分である。別の観点から言えば、この第３張出部Ｐｒ３は、第２溝状部Ｔｒ２の第４方向（＋ｚ方向）の側の第３端部Ｅｄ３から第２方向（−ｙ方向）に張り出している状態で位置している部分である。ここでは、第３張出部Ｐｒ３の形状としては、例えば、板状のものが採用され得る。この第３張出部Ｐｒ３は、第５部分Ｐａ５の第２方向（−ｙ方向）の側の第３端部Ｅｄ３に連結している状態で位置している。これにより、第５部分Ｐａ５が、第３張出部Ｐｒ３の存在によって、第６部分Ｐａ６と連結している第３端部Ｅｄ３を実質的に超えて延びているように位置している状態となっている。また、図９（ａ）の例では、第２フレーム部材Ｆ１２は、第２溝状部Ｔｒ２の第３方向（−ｚ方向）の側の端部（第４端部ともいう）Ｅｄ４から第２方向（−ｙ方向）に張り出している状態で位置している第４張出部Ｐｒ４を有している。この第４張出部Ｐｒ４は、第３張出部Ｐｒ３と対向している状態で位置している部分である。ここでは、第４張出部Ｐｒ４は板状の部分である。第４張出部Ｐｒ４の形状としては、例えば、板状のものが採用され得る。ここで、別の観点から言えば、第４張出部Ｐｒ４は、第２突起部Ｐｊ２の第２方向（−ｙ方向）の側の第４端部Ｅｄ４に連結している状態で位置している。このように、第３張出部Ｐｒ３および第４張出部Ｐｒ４が存在していれば、第２溝状部Ｔｒ２の＋ｙ方向における奥行きが実質的に大きくなり得る。
【００５１】
また、第１実施形態では、第２フレーム部材Ｆ１２は、例えば、第１フレーム部材Ｆ１１と同様に、第２被支持部Ｆｇ２を有している。この第２被支持部Ｆｇ２は、例えば、第２壁状部Ｗｌ２の第３方向（−ｚ方向）の側の端部に連結している状態で位置している。換言すれば、第２被支持部Ｆｇ２は、第２壁状部Ｗｌ２のうちの第２溝状部Ｔｒ２よりも第３方向（−ｚ方向）の側に連結している状態で位置している。図９（ａ）の例では、第２被支持部Ｆｇ２は、第２壁状部Ｗｌ２の第３方向（−ｚ方向）の側の端部から第２方向（−ｙ方向）に突出している状態で位置している。第２被支持部Ｆｇ２としては、例えば、ｘｙ平面に沿った平板状の部分が採用される。第２被支持部Ｆｇ２は、例えば、屋根部３上に位置している支持部Ｓｔ１によって支持されている状態で位置している。
【００５２】
ところで、フレームＦ１を構成している、第１フレーム部材Ｆ１１、第２フレーム部材Ｆ１２、第３フレーム部材Ｆ１３および第４フレーム部材Ｆ１４を備えた部材の一式を、例えば、フレーム部材ユニットＦｕ１とする。このフレーム部材ユニットＦｕ１は、太陽電池モジュールＭｏ１用のフレームＦ１を構成するための部材の集まり（ユニット）である。このフレーム部材ユニットＦｕ１は、太陽電池パネルＰｎ１に対して配置される前の状態では、板状の太陽電池パネルＰｎ１の側面Ｓｓ１に沿って配置するためのものである。この状態では、第１フレーム部材Ｆ１１は、太陽電池パネルＰｎ１の側面Ｓｓ１のうちの第１側面Ｓｓ１１に沿って配置するための部材である。第２フレーム部材Ｆ１２は、太陽電池パネルＰｎ１の側面Ｓｓ１のうちの第１側面Ｓｓ１１とは逆側に位置している第２側面Ｓｓ１２に沿って配置するための部材である。第３フレーム部材Ｆ１３は、太陽電池パネルＰｎ１の側面Ｓｓ１のうちの第３側面Ｓｓ１３に沿って配置するための部材である。第４フレーム部材Ｆ１４は、太陽電池パネルＰｎ１の側面Ｓｓ１のうちの第４側面Ｓｓ１４に沿って配置するための部材である。
【００５３】
また、フレーム部材ユニットＦｕ１が太陽電池パネルＰｎ１に対して配置される前の状態では、第１フレーム部材Ｆ１１が有する第１被嵌合部Ｆｔ１は、太陽電池パネルＰｎ１のうちの第１側面Ｓｓ１１に沿った第１外周部Ｅｐ１を嵌合させることが可能な溝状の部分である。第１フレーム部材Ｆ１１が有する第１壁状部Ｗｌ１は、第１被嵌合部Ｆｔ１における第１長手方向（＋ｘ方向）および第１奥行方向（＋ｙ方向）の双方に直交している幅方向（第１幅方向ともいう）としての−ｚ方向において、第１被嵌合部Ｆｔ１から延びている状態で位置している。第１フレーム部材Ｆ１１が有する第１溝状部Ｔｒ１は、第１壁状部Ｗｌ１の第１奥行方向（＋ｙ方向）の側においてこの第１奥行方向（＋ｙ方向）の側で開口しており且つ第１長手方向（＋ｚ方向）に沿って位置している。第１フレーム部材Ｆ１１が有する第１凸状部Ｃｖ１は、第１突出部Ｏｈ１を含む。この第１突出部Ｏｈ１は、第１溝状部Ｔｒ１の第１幅方向（−ｚ方向）とは逆の方向（第２幅方向ともいう）としての＋ｚ方向の側において、第１壁状部Ｗｌ１よりも第１奥行方向（＋ｙ方向）に突出している状態で位置している。
【００５４】
また、フレーム部材ユニットＦｕ１が太陽電池パネルＰｎ１に対して配置される前の状態では、第２フレーム部材Ｆ１２が有する第２被嵌合部Ｆｔ２は、太陽電池パネルＰｎ１のうちの第２側面Ｓｓ１２に沿った第２外周部Ｅｐ２を嵌合させることが可能な溝状の部分である。第２フレーム部材Ｆ１２が有する第２壁状部Ｗｌ２は、第２被嵌合部Ｆｔ２における第２長手方向（＋ｘ方向）および第２奥行方向（−ｙ方向）の双方に直交している幅方向（第３幅方向ともいう）としての−ｚ方向において、第２被嵌合部Ｆｔ２から延びている状態で位置している。第２フレーム部材Ｆ１２が有する第２溝状部Ｔｒ２は、第２壁状部Ｗｌ２の第２奥行方向（−ｙ方向）の側においてこの第２奥行方向（−ｙ方向）の側で開口しており且つ第２長手方向（＋ｘ方向）に沿って位置している。第２フレーム部材Ｆ１２が有する第２凸状部Ｃｖ２は、第２突出部Ｏｈ２を含む。この第２突出部Ｏｈ２は、第２溝状部Ｔｒ２の第３幅方向（−ｚ方向）とは逆の方向（第４幅方向ともいう）としての＋ｚ方向の側において、第２壁状部Ｗｌ２よりも第２奥行方向（−ｙ方向）に突出している状態で位置している。
【００５５】
そして、ここでは、第１フレーム部材Ｆ１１と第２フレーム部材Ｆ１２とが同様な構成を有している。具体的には、第１フレーム部材Ｆ１１は、第１被嵌合部Ｆｔ１と、第１壁状部Ｗｌ１と、第１溝状部Ｔｒ１と、第１凸状部Ｃｖ１と、を有している。第２フレーム部材Ｆ１２は、第１フレーム部材Ｆ１１と同様に、第１フレーム部材Ｆ１１と同様に、第２被嵌合部Ｆｔ２と、第２壁状部Ｗｌ２と、第２溝状部Ｔｒ２と、第２凸状部Ｃｖ２と、を有している。このため、例えば、第１フレーム部材Ｆ１１における第１長手方向（＋ｘ方向）に垂直な第１断面の形状と、第２フレーム部材Ｆ１２における第２長手方向（＋ｘ方向）に垂直な第２断面の形状とが、同一である関係を有する構成が実現され得る。このような構成が採用されれば、太陽電池アレイ４に用いられるフレームＦ１を構成する部材の種類が削減され得る。これにより、第１フレーム部材Ｆ１１および第２フレーム部材Ｆ１２を含む複数の部材の在庫管理が簡単になり得る。また、例えば、同様な断面を有している第１フレーム部材Ｆ１１と第２フレーム部材Ｆ１２とを、共通の金型を用いて効率よく製造することが可能となる。これにより、例えば、太陽電池アレイ４、この太陽電池アレイ４に用いる太陽電池モジュールＭｏ１および太陽電池モジュールＭｏ１用のフレーム部材ユニットＦｕ１の生産性が向上し得る。また、ここでは、第１幅方向（−ｚ方向）において、第１溝状部Ｔｒ１の内部空間Ｉｓ１の幅（第２の幅）Ｗ２は、第１被嵌合部Ｆｔ１の内部空間（第１内部空間）Ｓｐ１の幅よりも大きい。第３幅方向（−ｚ方向）において、第２溝状部Ｔｒ２の内部空間Ｉｓ２の幅は、内部空間Ｉｓ１の第２の幅Ｗ２と同様に、第２被嵌合部Ｆｔ２の内部空間（第２内部空間）Ｓｐ２の幅よりも大きい。このため、例えば、フレーム部材ユニットＦｕ１が太陽電池パネルＰｎ１に対して配置される際に、第１幅方向（−Ｚ方向）において、第１溝状部Ｔｒ１および第２溝状部Ｔｒ２に嵌合される太陽電池パネルＰｎ１の厚さよりも、第２の幅Ｗ２の方が大きい状態が実現され得る。これにより、例えば、第１幅方向（−Ｚ方向）において、太陽電池パネルＰｎ１の厚さよりも、第２溝状部Ｔｒ２に嵌合される第１凸状部Ｃｖ１の幅（第１の幅）Ｗ１の方が大きくなる構成が実現され得る。
【００５６】
＜１−３．太陽電池モジュール同士の連結＞
ここで、例えば、図９（ａ）および図９（ｂ）で示されるように、第１太陽電池アレイ４１において第１方向（＋ｙ方向）において隣り合っている状態で位置している２つの太陽電池モジュールＭｏ１について着目する。この２つの太陽電池モジュールＭｏ１のうち、第２方向（−ｙ方向）の側に位置している太陽電池モジュールＭｏ１を第１太陽電池モジュールＭｏ１１とし、第１方向（＋ｙ方向）の側に位置している太陽電池モジュールＭｏ１を第２太陽電池モジュールＭｏ１２とする。
【００５７】
ここでは、図９（ａ）および図９（ｂ）で示されるように、第１太陽電池モジュールＭｏ１１における第１フレーム部材Ｆ１１の第１凸状部Ｃｖ１が、第２太陽電池モジュールＭｏ１２における第２フレーム部材Ｆ１２の第２溝状部Ｔｒ２に嵌合される。これにより、太陽電池アレイ４において、複数の太陽電池モジュールＭｏ１が連結されている状態が実現され得る。ここでは、上述したように、第１フレーム部材Ｆ１１と第２フレーム部材Ｆ１２とが同様な構成を有している。このため、ｙｚ平面に沿った断面の形状が互いに面対称の関係を有している第１フレーム部材Ｆ１１と第２フレーム部材Ｆ１２とで嵌合状態が実現され得る。これにより、太陽電池アレイ４では、第１太陽電池モジュールＭｏ１１における第１フレーム部材Ｆ１１の第１凸状部Ｃｖ１は、第２太陽電池モジュールＭｏ１２における第２フレーム部材Ｆ１２の第２溝状部Ｔｒ２に嵌合している状態で位置している。そして、このような構成が採用されれば、例えば、太陽電池アレイ４に用いられるフレームＦ１の部材の種類が削減され得る。これにより、上述したように、例えば、太陽電池アレイ４、この太陽電池アレイ４に用いる太陽電池モジュールＭｏ１および太陽電池モジュールＭｏ１用のフレーム部材ユニットＦｕ１の生産性が向上し得る。また、ここで、第３方向（−ｚ方向）において、第１の幅Ｗ１および第２の幅Ｗ２が、太陽電池パネルＰｎ１の厚さよりも大きければ、第２溝状部Ｔｒ２に嵌合している第１凸状部Ｃｖ１の強度が容易に高まり得る。換言すれば、第３方向（−ｚ方向）において、第１の幅Ｗ１および第２の幅Ｗ２が、第１被嵌合部Ｆｔ１および第２被嵌合部Ｆｔ２の幅よりも大きければ、第２溝状部Ｔｒ２に嵌合している第１凸状部Ｃｖ１の強度が容易に高まり得る。その結果、例えば、風雨による荷重に対して、第１太陽電池モジュールＭｏ１１および第１太陽電池アレイ４１の強度および耐久性が高まり得る。
【００５８】
また、ここで、上述したように、第３方向（−ｚ方向）において、第１凸状部Ｃｖ１の第１の幅Ｗ１と、第２溝状部Ｔｒ２の内部空間Ｉｓ１の第２の幅Ｗ２とが、略同一であれば、第２溝状部Ｔｒ２に第１凸状部Ｃｖ１が強固に嵌合されている状態が実現され得る。これにより、例えば、第１方向（＋ｙ方向）において隣り合う太陽電池モジュールＭｏ１の間において、第１フレーム部材Ｆ１１と第２フレーム部材Ｆ１２とが強固に連結されている状態が実現され得る。その結果、例えば、太陽電池アレイ４における種々の方向の荷重に対する強度が向上し得る。また、例えば、第１方向（＋ｙ方向）において隣り合う太陽電池モジュールＭｏ１の間において、第１フレーム部材Ｆ１１と第２フレーム部材Ｆ１２との間において、水分が通過しにくくなる。このとき、屋根部３の劣化が低減され得る。ところで、ここで、第１の幅Ｗ１と第２の幅Ｗ２とが略同一とは、第１の幅Ｗ１と第２の幅Ｗ２とが実質的に同一であることを意味している。具体的には、第１の幅Ｗ１と第２の幅Ｗ２とが略同一であり状態とは、第２溝状部Ｔｒ２に対する第１凸状部Ｃｖ１の嵌合が実現可能となるように、第１の幅Ｗ１と第２の幅Ｗ２との間に、例えば、０．５ｍｍ程度の微小なクリアランスが存在している状態を意味している。このとき、例えば、第１の幅Ｗ１が第２の幅Ｗ２よりも僅かに小さく、第１の幅Ｗ１と第２の幅Ｗ２との差が微小なクリアランスである。
【００５９】
また、ここで、上述したように、第１太陽電池モジュールＭｏ１１における第１フレーム部材Ｆ１１は、第１張出部Ｐｒ１と第２張出部Ｐｒ２とを有している。第２太陽電池モジュールＭｏ１２における第２フレーム部材Ｆ１２は、第３張出部Ｐｒ３と第４張出部Ｐｒ４とを有している。これにより、例えば、第１方向（＋ｙ方向）において、隣り合う第１フレーム部材Ｆ１１と第２フレーム部材Ｆ１２との間において、第２フレーム部材Ｆ１２に対して第１フレーム部材Ｆ１１が嵌合している距離が長い状態となり得る。その結果、例えば、隣り合う太陽電池モジュールＭｏ１の間において、第１フレーム部材Ｆ１１と第２フレーム部材Ｆ１２とが強固に連結されている状態となり得る。したがって、例えば、太陽電池アレイ４における種々の方向の荷重に対する強度がさらに向上し得る。
【００６０】
＜１−４．太陽電池モジュールの固定＞
図１０で示されるように、第１太陽電池アレイ４１は、複数の太陽電池モジュールＭｏ１を支持している支持部Ｓｔ１を備えている。支持部Ｓｔ１は、設置対象部としての屋根部３の上に位置している。図１０および図１１で示されるように、支持部Ｓｔ１は、例えば、第１屋根部分３１の凸状部分３ｐｒに沿って位置している。図１０および図１１の例では、支持部Ｓｔ１は、Ｖ字状に連結されている状態で位置している第１板状部Ｂｄ１と第２板状部Ｂｄ２とを有している。第１板状部Ｂｄ１は、第１屋根部分３１の凸状部分３ｐｒ上から凹状部分３ｒｅ上に向かうように位置している。第２板状部Ｂｄ２は、第１板状部Ｂｄ１とは逆側において第１屋根部分３１の凸状部分３ｐｒ上から凹状部分３ｒｅ上に向かうように位置している。支持部Ｓｔ１は、第１屋根部分３１に対して固定されている。例えば、支持部Ｓｔ１が第１屋根部分３１に対してネジなどの締結部材Ｓｃ１で固定されている状態が採用され得る。
【００６１】
上述したように、例えば、第１太陽電池アレイ４１では、第１方向（＋ｙ方向）において隣り合うように位置している第１太陽電池モジュールＭｏ１１と第２太陽電池モジュールＭｏ１２とが連結されている状態で位置している。このため、支持部Ｓｔ１は、例えば、第１方向（＋ｙ方向）において隣り合うように位置している第１太陽電池モジュールＭｏ１１および第２太陽電池モジュールＭｏ１２のうちの何れか一方の太陽電池モジュールＭｏ１が固定されている状態で位置していてよい。このように、第１太陽電池モジュールＭｏ１１および第２太陽電池モジュールＭｏ１２のうちの何れか一方の太陽電池モジュールＭｏ１が支持部Ｓｔ１に固定されている構造が採用されれば、太陽電池モジュールＭｏ１が支持部Ｓｔ１に固定されている箇所が減る。これにより、例えば、屋根部３に対して太陽電池アレイ４を設置する際に、屋根部３上に位置している支持部Ｓｔ１に対して太陽電池モジュールＭｏ１を固定する箇所が削減され得る。その結果、例えば、太陽電池アレイ４の施工が容易となり得る。
【００６２】
具体的には、例えば、第１太陽電池アレイ４１では、第１太陽電池モジュールＭｏ１１の第１フレーム部材Ｆ１１と第２太陽電池モジュールＭｏ１２の第２フレーム部材Ｆ１２とが連結されている状態で位置している。このため、例えば、第１太陽電池モジュールＭｏ１１の第１フレーム部材Ｆ１１および第２太陽電池モジュールＭｏ１２の第２フレーム部材Ｆ１２のうちの何れか一方のフレーム部材が支持部Ｓｔ１に固定されている状態で位置していてもよい。図９（ｂ）および図１０の例では、第１太陽電池モジュールＭｏ１１が第２太陽電池モジュールＭｏ１２の斜め下に位置している。このため、例えば、第１太陽電池モジュールＭｏ１１の第１フレーム部材Ｆ１１が支持部Ｓｔ１に固定されている構成が採用されれば、第１太陽電池アレイ４１の強度を維持しつつ第１太陽電池アレイ４１の施工が容易となり得る。
【００６３】
図１０の例では、第１太陽電池モジュールＭｏ１１が支持部Ｓｔ１に固定されている状態で位置している。具体的には、第１フレーム部材Ｆ１１の第１被支持部Ｆｇ１が、支持部Ｓｔ１と固定用具Ｆｃ１とによって挟持されている状態で位置している。固定用具Ｆｃ１は、例えば、支持部Ｓｔ１上において、支持部Ｓｔ１に対して締結部材Ｆｘ１によって締結されている。図１０の例では、締結部材Ｆｘ１は、ボルトＢｔ１とナットＮｔ１とを有している。固定用具Ｆｃ１には、例えば、金属製の金具が適用される。また、第１フレーム部材Ｆ１１の第１被支持部Ｆｇ１は、支持部Ｓｔ１によって支持されている状態で位置している。第２フレーム部材Ｆ１２の第２被支持部Ｆｇ２は、固定用具Ｆｃ１を介して支持部Ｓｔ１によって支持されている状態で位置している。
【００６４】
ところで、ここでは、図１１で示されるように、第１屋根部分３１は、直接あるいは他の部材を介して、第１桁部２３１、第２桁部２３２および第３桁部２３３の何れかに、締結部材Ｆｘ０によって固定されている状態で位置している。締結部材Ｆｘ０は、例えば、ボルトＢｔ０とナットＮｔ０とワッシャーＷｓ０とを含む。
【００６５】
＜１−５．第１実施形態のまとめ＞
第１実施形態に係る太陽電池装置１００では、例えば、１つの太陽電池モジュールＭｏ１において、相対する第１フレーム部材Ｆ１１と第２フレーム部材Ｆ１２とが、同様な構成を有している。このとき、例えば、第１フレーム部材Ｆ１１と第２フレーム部材Ｆ１２とが相互に面対称の関係を有する断面形状を有している構成が実現され得る。すなわち、例えば、第１フレーム部材Ｆ１１と第２フレーム部材Ｆ１２とが同様な形状を有している構成が実現され得る。これにより、太陽電池アレイ４に用いられるフレームＦ１を構成するための部材の種類が削減され得る。その結果、第１フレーム部材Ｆ１１および第２フレーム部材Ｆ１２を含む複数の部材の在庫管理が簡単になり得る。また、例えば、同様な形状を有している第１フレーム部材Ｆ１１と第２フレーム部材Ｆ１２とを、共通の金型を用いて効率よく製造することが可能となる。これにより、例えば、太陽電池アレイ４、この太陽電池アレイ４に用いる太陽電池モジュールＭｏ１および太陽電池モジュールＭｏ１用のフレーム部材ユニットＦｕ１の生産性が向上し得る。
【００６６】
＜２．他の実施形態＞
本開示は上述の第１実施形態に限定されるものではなく、本開示の要旨を逸脱しない範囲において種々の変更、改良等が可能である。
【００６７】
＜２−１．第２実施形態＞
上記第１実施形態において、例えば、図１２（ａ）から図１４で示されるように、第１フレーム部材Ｆ１１および第２フレーム部材Ｆ１２ではなく、第３フレーム部材Ｆ１３および第４フレーム部材Ｆ１４の何れか一方の部材が支持部Ｓｔ１に固定されてもよい。
【００６８】
図１２（ａ）から図１４の例では、支持部Ｓｔ１として、長手方向が第１方向（＋ｙ方向）に沿った方向である部材（長尺部材ともいう）Ｓｔ１Ａが採用されている。そして、１つの太陽電池モジュールＭｏ１のうちの第３フレーム部材Ｆ１３および第４フレーム部材Ｆ１４の双方が、１つの長尺部材Ｓｔ１Ａに固定されている。
【００６９】
ここで、第１屋根部分３１上において複数の長尺部材Ｓｔ１Ａが第５方向（＋ｘ方向）において並んでいる状態で位置している。各長尺部材Ｓｔ１Ａは、第１屋根部分３１に対して、例えば、ネジなどの締結部材で固定されている状態で位置している。長尺部材Ｓｔ１Ａは、例えば、図１３で示されるように、第１方向（＋ｙ方向）に沿った長手方向に垂直な断面がＵ字状である構成を有している。図１３の例では、長尺部材Ｓｔ１Ａは、第１板部Ｕ０、第２板部Ｂ０と第３板部Ｃ０とを有している。第１板部Ｕ０および第２板部Ｂ０は、第３方向（−ｚ方向）において互いに対向している状態で位置している、ｘｙ平面に沿った平板状の部分である。第１板部Ｕ０が、第２板部Ｂ０よりも第４方向（＋ｚ方向）の側に位置している。第３板部Ｃ０は、第１板部Ｕ０と第２板部Ｂ０とを連結している、ｙｚ平面に沿った平板状の部分である。このような長尺部材Ｓｔ１Ａは、例えば、アルミニウムの押し出し成形などで作製され得る。
【００７０】
第１太陽電池モジュールＭｏ１１における第１フレーム部材Ｆ１１の第１壁状部Ｗｌ１は、例えば、長尺部材Ｓｔ１Ａの一部が位置している空間を形成している状態で位置している第１欠け部Ｒｅ１を有している。図１２（ｂ）および図１３で示されるように、第１欠け部Ｒｅ１は、第１壁状部Ｗｌ１を平面視した場合に、この第１壁状部Ｗｌ１のうちの第３方向（−ｚ方向）の側に位置している角部が欠けているように凹んでいる状態で位置している部分である。ここでは、第１欠け部Ｒｅ１の存在によって、長尺部材Ｓｔ１Ａの一部が位置している空間（第１欠け空間ともいう）Ａｃ１が形成された状態となっている。このような構成により、例えば、第１フレーム部材Ｆ１１において、第１壁状部Ｗｌ１のうちの第１欠け部Ｒｅ１が存在していない部分が、第３フレーム部材Ｆ１３および第４フレーム部材Ｆ１４よりも第３方向（−ｚ方向）に向けて延びた状態が実現され得る。このとき、第１フレーム部材Ｆ１１の断面係数が向上し得る。したがって、例えば、太陽電池モジュールＭｏ１における耐荷重性能が向上し得る。
【００７１】
第２太陽電池モジュールＭｏｌ２における第２フレーム部材Ｆ１２の第２壁状部Ｗｌ２は、例えば、長尺部材Ｓｔ１Ａの一部が位置している空間を形成している状態で位置している第２欠け部Ｒｅ２を有している。ここでも、上記第１実施形態と同様に、第１フレーム部材Ｆ１１と第２フレーム部材Ｆ１２とが同様な構成を有している。これにより、例えば、第１フレーム部材Ｆ１１の第１長手方向（＋ｘ方向）に垂直な第１断面と、第２フレーム部材Ｆ１２の第２長手方向（＋ｘ方向）に垂直な第２断面とが、第１仮想平面Ｐｖ１を基準として面対称の関係を有している構成が実現され得る。この場合には、第２欠け部Ｒｅ２は、第２壁状部Ｗｌ２を平面視した場合に、この第２壁状部Ｗｌ２のうちの第３方向（−ｚ方向）の側に位置している角部が欠けているように凹んでいる状態で位置している部分である。ここでは、第２欠け部Ｒｅ２の存在によって、長尺部材Ｓｔ１Ａの一部が位置している空間（第２欠け空間ともいう）Ａｃ２が形成された状態となっている。このような構成により、例えば、第２フレーム部材Ｆ１２においても、第１フレーム部材Ｆ１１と同様に、第２壁状部Ｗｌ２のうちの第２欠け部Ｒｅ２が存在していない部分が、第３フレーム部材Ｆ１３および第４フレーム部材Ｆ１４よりも第３方向（−ｚ方向）に向けて延びた状態が実現され得る。このとき、第２フレーム部材Ｆ１２の断面係数が向上し得る。したがって、例えば、太陽電池モジュールＭｏ１における耐荷重性能が向上し得る。
【００７２】
また、例えば、第１太陽電池モジュールＭｏ１１の第３フレーム部材Ｆ１３および第２太陽電池モジュールＭｏ１２の第３フレーム部材Ｆ１３は、それぞれ長尺部材Ｓｔ１Ａの第４方向（＋ｚ方向）の側において長尺部材Ｓｔ１Ａに沿って位置している。図１２（ｂ）で示されるように、第３フレーム部材Ｆ１３は、例えば、第３被嵌合部Ｆｔ３と、第３壁状部Ｗｌ３と、第３被支持部Ｆｇ３と、を有している。第３被嵌合部Ｆｔ３は、太陽電池パネルＰｎ１のうちの第３側面Ｓｓ１３に沿った外周部分（第３外周部ともいう）が嵌まっている状態で位置している溝状の部分である。図１２（ｂ）の例では、第３被嵌合部Ｆｔ３は、ｘｚ平面に沿った断面が第６方向（−ｘ方向）の側が開口しているＵ字状の部分である。第３被嵌合部Ｆｔ３の内部の空間（第３内部空間ともいう）Ｓｐ３における奥行き方向（第３奥行方向ともいう）は、第５方向（＋ｘ方向）である。第３壁状部Ｗｌ３は、第３方向（−ｚ方向）において第３被嵌合部Ｆｔ３から延びている状態で位置している部分である。図１２（ａ）および図１２（ｂ）の例では、第３壁状部Ｗｌ３は、ｙｚ平面に沿った平板状の形状を有している。第３被支持部Ｆｇ３は、例えば、第３壁状部Ｗｌ３の第３方向（−ｚ方向）の側の端部に連結している状態で位置している。図１２（ａ）および図１２（ｂ）の例では、第３被支持部Ｆｇ３は、第３壁状部Ｗｌ３から第６方向（−ｘ方向）に突出している状態で位置しているｘｙ平面に沿った平板状の部分である。図１３の例では、第３被支持部Ｆｇ３は、長尺部材Ｓｔ１Ａの上において、長尺部材Ｓｔ１Ａによって支持されているとともに、締結部材Ｆｘ０による締結によって長尺部材Ｓｔ１Ａに固定されている状態で位置している。
【００７３】
また、例えば、第１太陽電池モジュールＭｏ１１の第４フレーム部材Ｆ１４および第２太陽電池モジュールＭｏ１２の第４フレーム部材Ｆ１４は、それぞれ長尺部材Ｓｔ１Ａの第４方向（＋ｚ方向）の側において長尺部材Ｓｔ１Ａに沿って位置している。第４フレーム部材Ｆ１４としては、例えば、第３フレーム部材Ｆ１３と同様な構造を有するものが採用される。この場合には、太陽電池モジュールＭｏ１では、第４フレーム部材Ｆ１４は、太陽電池パネルＰｎ１のうちの第４側面Ｓｓ１４に沿った外周部分（第４外周部分ともいう）が嵌まっている状態で位置している。ここでは、第３フレーム部材Ｆ１３の構造と第４フレーム部材Ｆ１４の構造とは、太陽電池パネルＰｎ１を挟んで対称の関係を有している。このとき、第４フレーム部材Ｆ１４は、例えば、第４外周部分が嵌まっている状態で位置している第４溝状部分と、第４溝状部分から第３方向（−ｚ方向）に延びている状態で位置している第４壁状部と、第４被支持部Ｆｇ４と、を有している。第４被支持部Ｆｇ４は、第４壁状部の第３方向（−ｚ方向）の側の端部に連結している部分である。図１３の例では、第４被支持部Ｆｇ４は、長尺部材Ｓｔ１Ａの上において、長尺部材Ｓｔ１Ａによって支持されているとともに、締結部材Ｆｘ０による締結によって長尺部材Ｓｔ１Ａに固定されている状態で位置している。
【００７４】
また、図１３および図１４で示されるように、第１太陽電池アレイ４１において、例えば、長尺部材Ｓｔ１Ａと第３フレーム部材Ｆ１３との間にスペーサ部Ｓｐ０が位置していてもよい。図１３および図１４の例では、長尺部材Ｓｔ１Ａ上にスペーサ部Ｓｐ０が位置しており、このスペーサ部Ｓｐ０の上に第３フレーム部材Ｆ１３の第３被支持部Ｆｇ３が位置している。また、例えば、長尺部材Ｓｔ１Ａと第４フレーム部材Ｆ１４との間にもスペーサ部Ｓｐ０が位置していてもよい。図１３の例では、長尺部材Ｓｔ１Ａ上にスペーサ部Ｓｐ０が位置しており、このスペーサ部Ｓｐ０の上に第４フレーム部材Ｆ１４の第４被支持部Ｆｇ４が位置している。
【００７５】
このような構成では、例えば、長尺部材Ｓｔ１Ａの上で、スペーサ部Ｓｐ０の存在によって、長尺部材Ｓｔ１Ａの長手方向（＋ｙ方向）に対して、第３フレーム部材Ｆ１３の長手方向および第４フレーム部材Ｆ１４の長手方向を相対的に傾斜させることができる。これにより、例えば、第１方向（＋ｙ方向）において隣り合って位置している第１太陽電池モジュールＭｏ１１の第１フレーム部材Ｆ１１と第２太陽電池モジュールＭｏ１２の第２フレーム部材Ｆ１２との間に高低差が生じている状態が容易に実現され得る。その結果、第１太陽電池モジュールＭｏ１１の第１フレーム部材Ｆ１１が、第２太陽電池モジュールＭｏ１２の第２フレーム部材Ｆ１２に嵌合している状態が容易に実現され得る。
【００７６】
＜２−２．第３実施形態＞
上記各実施形態において、例えば、図１５（ａ）および図１５（ｂ）で示されるように、上記第１フレーム部材Ｆ１１が第１フレーム部材Ｆ１１Ｂに変更され、上記第２フレーム部材Ｆ１２が第２フレーム部材Ｆ１２Ｂに変更されてもよい。第１フレーム部材Ｆ１１Ｂは、上記第１フレーム部材Ｆ１１を基本構成として、第１張出部Ｐｒ１および第２張出部Ｐｒ２が除かれ、第１凸状部Ｃｖ１が第１被嵌合部Ｆｔ１よりも第３方向（−ｚ方向）の側に位置している状態に変更されたものである。第２フレーム部材Ｆ１２Ｂは、上記第２フレーム部材Ｆ１２を基本構成として、第３張出部Ｐｒ３および第４張出部Ｐｒ４が除かれ、第２凸状部Ｃｖ２が第２被嵌合部Ｆｔ２よりも第３方向（−ｚ方向）の側に位置している状態に変更されたものである。
【００７７】
図１５（ａ）および図１５（ｂ）の例では、第１フレーム部材Ｆ１１Ｂについては、第１壁状部Ｗｌ１は、第１被嵌合部Ｆｔ１のうちの第２部分Ｐａ２の第１方向（＋ｙ方向）の側の端部から第３方向（−ｚ方向）に延びている状態で位置している。第１凸状部Ｃｖ１は、第１壁状部Ｗｌ１のうちの第４方向（＋ｚ方向）の側において、第１壁状部Ｗｌ１から第１方向（＋ｙ方向）に突出している状態で位置している。第１溝状部Ｔｒ１は、第１凸状部Ｃｖ１の第３方向（−ｚ方向）の側に位置している部分と、第１突起部Ｐｊ１と、第１壁状部Ｗｌ１と、によって形成されている状態にある。また、第１被支持部Ｆｇ１は、第１壁状部Ｗｌ１の第３方向（−ｚ方向）の側の端部から第２方向（−ｙ方向）に突出している状態で位置している。
【００７８】
図１５（ａ）および図１５（ｂ）の例では、第２フレーム部材Ｆ１２Ｂについては、第２壁状部Ｗｌ２は、第２被嵌合部Ｆｔ２のうちの第５部分Ｐａ５の第２方向（−ｙ方向）の側の端部から第３方向（−ｚ方向）に延びている状態で位置している。第２凸状部Ｃｖ２は、第２壁状部Ｗｌ２のうちの第４方向（＋ｚ方向）の側において、第２壁状部Ｗｌ２から第２方向（−ｙ方向）に突出している状態で位置している。第２溝状部Ｔｒ２は、第２凸状部Ｃｖ２の第３方向（−ｚ方向）の側に位置している部分と、第２突起部Ｐｊ２と、第２壁状部Ｗｌ２と、によって形成されている状態にある。また、第２被支持部Ｆｇ２は、第２壁状部Ｗｌ２の第３方向（−ｚ方向）の側の端部から第１方向（＋ｙ方向）に突出している状態で位置している。
【００７９】
また、ここで、例えば、図１６（ａ）および図１６（ｂ）で示されるように、第１凸状部Ｃｖ１が２つ以上の第１突出部Ｏｈ１を含む構成であってもよいし、第２凸状部Ｃｖ２が２つ以上の第２突出部Ｏｈ２を含む構成であってもよい。換言すれば、第１凸状部Ｃｖ１は１つ以上の第１突出部Ｏｈ１を含む構成であってもよいし、第２凸状部Ｃｖ２は１つ以上の第２突出部Ｏｈ２を含む構成であってもよい。図１６（ａ）および図１６（ｂ）の例では、第１凸状部Ｃｖ１は、第４方向（＋ｚ方向）の側の部分を構成している第１突出部Ｏｈ１と、第３方向（−ｚ方向）の側の部分を構成している第１突出部Ｏｈ１と、を有している。換言すれば、第１凸状部Ｃｖ１は、２つの第１突出部Ｏｈ１と、この２つの第１突出部Ｏｈ１の間に位置している空間Ｄ１と、によって構成されている。また、第２凸状部Ｃｖ２は、第４方向（＋ｚ方向）の側の部分を構成している第２突出部Ｏｈ２と、第３方向（−ｚ方向）の側の部分を構成している第２突出部Ｏｈ２と、を有している。換言すれば、第２凸状部Ｃｖ２は、２つの第２突出部Ｏｈ２と、この２つの第２突出部Ｏｈ２の間に位置している空間Ｄ２と、によって構成されている。このような構成が採用されれば、例えば、第１凸状部Ｃｖ１および第２凸状部Ｃｖ２を構成する素材の使用量が低減され得る。
【００８０】
＜２−３．第４実施形態＞
上記第３実施形態において、例えば、図１７（ａ）および図１７（ｂ）で示されるように、上記第１フレーム部材Ｆ１１Ｂが第１フレーム部材Ｆ１１Ｃに変更され、上記第２フレーム部材Ｆ１２Ｂが第２フレーム部材Ｆ１２Ｃに変更されてもよい。第１フレーム部材Ｆ１１Ｃは、上記第１フレーム部材Ｆ１１Ｂを基本構成として、第１凸状部Ｃｖ１の位置が第１被嵌合部Ｆｔ１の第１方向（＋ｙ方向）の側の位置に変更された構成を有している。第２フレーム部材Ｆ１２Ｃは、上記第２フレーム部材Ｆ１２Ｂを基本構成として、第２凸状部Ｃｖ２の位置が第２被嵌合部Ｆｔ２の第２方向（−ｙ方向）の側の位置に変更された構成を有している。
【００８１】
ここで、例えば、第１被嵌合部Ｆｔ１の第１部分Ｐａ１の第４方向（＋ｚ方向）の側の面（第３面ともいう）Ｓ３と、第１凸状部Ｃｖ１の第４方向（＋ｚ方向）の側の面（第４面ともいう）Ｓ４と、が直接接続していてもよい。さらに、例えば、第４面Ｓ４が、第４方向（＋ｚ方向）において第３面Ｓ３と同一の位置に存在していてもよい。ここで、例えば、第４面Ｓ４が第３面Ｓ３よりも少し第４方向（＋ｚ方向）の側の位置に存在していてもよい。図１７（ａ）および図１７（ｂ）の例では、第３面Ｓ３と第４面Ｓ４とが連続した１つの平面を構成している。ここでは、例えば、第１フレーム部材Ｆ１１Ｃと第２フレーム部材Ｆ１２Ｃとが同様な形状を有している構成が採用され得る。このため、第２被嵌合部Ｆｔ２の第４部分Ｐａ４の第４方向（＋ｚ方向）の側の面（第５面ともいう）Ｓ５と、第２凸状部Ｃｖ２の第４方向（＋ｚ方向）の側の面（第６面ともいう）Ｓ６と、が直接接続している構成が採用され得る。さらに、例えば、第６面Ｓ６が、第４方向（＋ｚ方向）において第５面Ｓ５と同一の位置に存在している構成が採用されてもよい。ここで、例えば、第６面Ｓ６が、第５面Ｓ５よりも少し第４方向（＋ｚ方向）の側の位置に存在していてもよい。図１７（ａ）および図１７（ｂ）の例では、第５面Ｓ５と第６面Ｓ６とが連続した１つの平面を構成している。
【００８２】
このような構成について、例えば、隣り合う太陽電池モジュールＭｏ１の間で第１フレーム部材Ｆ１１Ｃの第１凸状部Ｃｖ１が斜め下方から斜め上方に向けて第２フレーム部材Ｆ１２Ｃの第２溝状部Ｔｒ２に嵌合された状態にある第１太陽電池アレイ４１を想定する。この第１太陽電池アレイ４１では、例えば、第１フレーム部材Ｆ１１Ｃの第１凸状部Ｃｖ１の上面としての第４面Ｓ４が、直接接続している第１フレーム部材Ｆ１１の第１被嵌合部Ｆｔ１の上面としての第３面Ｓ３よりも低くなりにくい。また、第２フレーム部材Ｆ１２Ｃの第２凸状部Ｃｖ２の上面としての第６面Ｓ６が、直接接続している第２フレーム部材Ｆ１２Ｃの第２被嵌合部Ｆｔ２の上面としての第５面Ｓ５よりも高くなりにくい。これにより、例えば、隣り合う太陽電池モジュールＭｏ１の間において、斜め上方の第２太陽電池モジュールＭｏ１２の上面から斜め下方の第１太陽電池モジュールＭｏ１１の上面に向けて雨水が流れる際に、第１フレーム部材Ｆ１１Ｃと第２フレーム部材Ｆ１２Ｃとの間の領域において雨水が滞留しにくい。その結果、例えば、太陽電池パネルＰｎ１の上面としての第１面Ｆｓ１において、雨水の乾燥による汚れが付着しにくく、ガラスなどの白く濁った白やけなどが生じにくい。したがって、例えば、太陽電池モジュールＭｏ１および太陽電池アレイ４において、光電変換効率が低下しにくい。
【００８３】
また、ここで、例えば、図１８（ａ）および図１８（ｂ）で示されるように、第１突起部Ｐｊ１の第３方向（−ｚ方向）における幅が、第１凸状部Ｃｖ１の第３方向（−ｚ方向）における幅（第１の幅）Ｗ１と同一であってもよい。ここでは、第１フレーム部材Ｆ１１Ｃと第２フレーム部材Ｆ１２Ｃとが同様な構成を有している。このため、第２突起部Ｐｊ２の第３方向（−ｚ方向）における幅が、第２凸状部Ｃｖ２の第３方向（−ｚ方向）における幅（第１の幅）Ｗ１と同一であってもよい。このとき、例えば、図１８（ｂ）で示されるように、第１フレーム部材Ｆ１１Ｃの第１凸状部Ｃｖ１が、第２フレーム部材Ｆ１２Ｃの第２溝状部Ｔｒ２に嵌合している状態で位置している場合を想定する。この場合には、第２フレーム部材Ｆ１２Ｃの第２突起部Ｐｊ２も、第１フレーム部材Ｆ１１Ｃの第１溝状部Ｔｒ１に嵌合している状態で位置している。これにより、例えば、第１方向（＋ｙ方向）において隣り合う太陽電池モジュールＭｏ１の間において、２箇所における嵌合により、第１フレーム部材Ｆ１１Ｃと第２フレーム部材Ｆ１２Ｃとが強固に連結されている状態が実現され得る。その結果、例えば、太陽電池アレイ４における種々の方向の荷重に対する強度が向上し得る。
【００８４】
＜２−４．第５実施形態＞
上記第４実施形態において、例えば、図１９（ａ）および図１９（ｂ）で示されるように、上記第１フレーム部材Ｆ１１Ｃが第１フレーム部材Ｆ１１Ｄに変更され、上記第２フレーム部材Ｆ１２Ｃが第２フレーム部材Ｆ１２Ｄに変更されてもよい。第１フレーム部材Ｆ１１Ｄは、例えば、上記第１フレーム部材Ｆ１１Ｃを基本構成として、第１被嵌合部Ｆｔ１の少なくとも一部が、第１凸状部Ｃｖ１内に位置している状態に変更されたものである。ここでは、第１フレーム部材Ｆ１１Ｄと第２フレーム部材Ｆ１２Ｄとが同様な構成を有している。このため、第２フレーム部材Ｆ１２Ｄは、例えば、上記第２フレーム部材Ｆ１２Ｃを基本構成として、第２被嵌合部Ｆｔ２の少なくとも一部が、第２凸状部Ｃｖ２内に位置している状態に変更されたものである。
【００８５】
ところで、上述した第１実施形態においても、例えば、第１被嵌合部Ｆｔ１が、第１凸状部Ｃｖ１内に位置している状態にあり、第２被嵌合部Ｆｔ２が、第２凸状部Ｃｖ２内に位置している状態にある。
【００８６】
このように、例えば、第１凸状部Ｃｖ１内に第１被嵌合部Ｆｔ１の少なくとも一部が位置していれば、第１フレーム部材Ｆ１１Ｄを構成する素材の量が低減され得る。同様に、例えば、第２凸状部Ｃｖ２内に第２被嵌合部Ｆｔ２の少なくとも一部が位置していれば、第２フレーム部材Ｆ１２Ｄを構成する素材の量が低減され得る。また、このような構成が採用されれば、例えば、第１太陽電池アレイ４１を第３方向（−ｚ方向）に向けて平面視した場合に、第１方向（＋ｙ方向）において隣り合う太陽電池モジュールＭｏ１の間において、フレームＦ１が占める面積が低減され得る。その結果、例えば、太陽電池アレイ４において、有効面積が増加して、出力が向上し得る。
【００８７】
＜２−５．第６実施形態＞
上記各実施形態において、例えば、図２０（ａ）から図２０（ｃ）で示されるように、上記第１フレーム部材Ｆ１１，Ｆ１１Ｂ，Ｆ１１Ｃ，Ｆ１１Ｄが第１フレーム部材Ｆ１１Ｅに変更され、上記第２フレーム部材Ｆ１２，Ｆ１２Ｂ，Ｆ１２Ｃ，Ｆ１２Ｄが第２フレーム部材Ｆ１２Ｅに変更されてもよい。第１フレーム部材Ｆ１１Ｅは、例えば、上記第１フレーム部材Ｆ１１，Ｆ１１Ｂ，Ｆ１１Ｃ，Ｆ１１Ｄを基本構成として、第１凸状部Ｃｖ１の第１の幅Ｗ１と第１溝状部Ｔｒ１の第２の幅Ｗ２とが、相互に異なる第１の幅Ｗ１Ｇと第２の幅Ｗ２Ｇとに変更されたものである。第２フレーム部材Ｆ１２Ｅは、例えば、上記第２フレーム部材Ｆ１２，Ｆ１２Ｂ，Ｆ１２Ｃ，Ｆ１２Ｄを基本構成として、第２凸状部Ｃｖ２の第１の幅Ｗ１と第２溝状部Ｔｒ２の第２の幅Ｗ２とが、相互に異なる第１の幅Ｗ１Ｇと第２の幅Ｗ２Ｇとに変更されたものである。
【００８８】
図２０（ａ）から図２０（ｃ）の例では、第１凸状部Ｃｖ１は、第１壁状部Ｗｌ１から第１方向（＋ｙ方向）に突出している。ここでは、第１凸状部Ｃｖ１の第３方向（−ｚ方向）における幅は、第１方向（＋ｙ方向）に進む程、大きくなっている状態にある。そして、第１凸状部Ｃｖ１の第３方向（−ｚ方向）における最大の幅が、第１の幅Ｗ１Ｇとされている。第１溝状部Ｔｒ１の第３方向（−ｚ方向）における幅は、第１方向（＋ｙ方向）の側において開口している部分よりも、第２方向（−ｙ方向）における奥側の部分において、大きくなっている状態にある。そして、第１溝状部Ｔｒ１の第３方向（−ｚ方向）における最小の幅が、第２の幅Ｗ２Ｇとされている。また、ここでは、第１凸状部Ｃｖ１のうちの第４方向（＋ｚ方向）の側の先端の部分には、第１フック部Ｆｋ１が存在している。第１凸状部Ｃｖ１のうちの第３方向（−ｚ方向）の側の根元の部分であって、第１溝状部Ｔｒ１のうちの第４方向（＋ｚ方向）の側の最奥の部分には、第４方向（＋ｚ方向）に凹んでいる状態にある第１凹部Ｃａ１が存在している。
【００８９】
また、図２０（ａ）から図２０（ｃ）の例では、第２凸状部Ｃｖ２は、第２壁状部Ｗｌ２から第２方向（−ｙ方向）に突出している。ここでは、第２凸状部Ｃｖ２の第３方向（−ｚ方向）における幅は、第２方向（−ｙ方向）に進む程、大きくなっている状態にある。そして、第２凸状部Ｃｖ２の第３方向（−ｚ方向）における最大の幅が、第１の幅Ｗ１Ｇとされている。第２溝状部Ｔｒ２の第３方向（−ｚ方向）における幅は、第２方向（−ｙ方向）の側において開口している部分よりも、第１方向（＋ｙ方向）における奥側の部分において、大きくなっている状態にある。そして、第２溝状部Ｔｒ２の第３方向（−ｚ方向）における最小の幅が、第２の幅Ｗ２Ｇとされている。また、ここでは、第２凸状部Ｃｖ２のうちの第４方向（＋ｚ方向）の側の先端の部分には、第２フック部Ｆｋ２が存在している。第２凸状部Ｃｖ２のうちの第３方向（−ｚ方向）の側の根元の部分であって、第２溝状部Ｔｒ２のうちの第４方向（＋ｚ方向）の側の最奥の部分には、第４方向（＋ｚ方向）に凹んでいる状態にある第２凹部Ｃａ２が存在している。
【００９０】
上記構成を有する場合には、例えば、図２０（ａ）から図２０（ｃ）で示されるように、第１フレーム部材Ｆ１１Ｅの第１凸状部Ｃｖ１が、第２フレーム部材Ｆ１２Ｅの第２溝状部Ｔｒ２に嵌合され得る。ここで、例えば、図２０（ｃ）で示されるように、第１方向（＋ｙ方向）において隣り合う太陽電池モジュールＭｏ１の間において、第１フレーム部材Ｆ１１Ｅの第１凸状部Ｃｖ１が、第２フレーム部材Ｆ１２Ｅの第２溝状部Ｔｒ２に嵌合している状態で位置している場合を想定する。この場合には、第１フック部Ｆｋ１が第２凹部Ｃａ２に嵌合している状態で位置している。これにより、第１フレーム部材Ｆ１１Ｅと第２フレーム部材Ｆ１２Ｅとが強固に連結されている状態が実現され得る。その結果、例えば、太陽電池アレイ４における種々の方向の荷重に対する強度が向上し得る。
【００９１】
ここで、例えば、図２１（ａ）から図２１（ｃ）で示されるように、第１凸状部Ｃｖ１の第３方向（−ｚ方向）における幅が、第１方向（＋ｙ方向）に進む程大きくなっている構成が採用されていなくてもよい。このとき、例えば、第１凸状部Ｃｖ１の第３方向（−ｚ方向）における幅が、第１方向（＋ｙ方向）の側の部分よりも第２方向（−ｙ方向）の側の少なくとも一部分の方が小さい状態にある構成が採用され得る。また、例えば、第１溝状部Ｔｒ１の第３方向（−ｚ方向）における幅が、第１方向（＋ｙ方向）の側の部分よりも第２方向（−ｙ方向）の側の少なくとも一部分の方が大きい状態にある構成が採用され得る。
【００９２】
また、同様に、例えば、第２凸状部Ｃｖ２の第３方向（−ｚ方向）における幅が、第２方向（−ｙ方向）に進む程大きくなっている構成が採用されていなくてもよい。このとき、例えば、第２凸状部Ｃｖ２の第３方向（−ｚ方向）における幅が、第２方向（−ｙ方向）の側の部分よりも第１方向（＋ｙ方向）の側の少なくとも一部分の方が小さい状態にある構成が採用され得る。また、例えば、第２溝状部Ｔｒ２の第３方向（−ｚ方向）における幅が、第２方向（−ｙ方向）の側の部分よりも第１方向（＋ｙ方向）の側の少なくとも一部分の方が大きい状態にある構成が採用され得る。
【００９３】
＜３．その他＞
上記各実施形態では、例えば、一部分が除かれる工程などによって、第１フレーム部材Ｆ１１，Ｆ１１Ｂ，Ｆ１１Ｃ，Ｆ１１Ｄ，Ｆ１１Ｅと、第２フレーム部材Ｆ１２，Ｆ１２Ｂ，Ｆ１２Ｃ，Ｆ１２Ｄ，Ｆ１２Ｅとが、若干異なる形状を有していてもよい。この場合でも、例えば、第１フレーム部材Ｆ１１，Ｆ１１Ｂ，Ｆ１１Ｃ，Ｆ１１Ｄ，Ｆ１１Ｅの第１断面の形状と、第２フレーム部材Ｆ１２，Ｆ１２Ｂ，Ｆ１２Ｃ，Ｆ１２Ｄ，Ｆ１２Ｅの第２断面の形状とが、第１仮想平面Ｐｖ１を基準として面対称の関係を有している部分が存在している状態が実現され得る。換言すれば、例えば、第１フレーム部材Ｆ１１，Ｆ１１Ｂ，Ｆ１１Ｃ，Ｆ１１Ｄ，Ｆ１１Ｅと、第２フレーム部材Ｆ１２，Ｆ１２Ｂ，Ｆ１２Ｃ，Ｆ１２Ｄ，Ｆ１２Ｅとが、実質的に同一の形状を有する構成が採用されてもよい。
【００９４】
上記各実施形態では、例えば、第１方向（＋ｙ方向）において隣り合う第１太陽電池モジュールＭｏ１１および第２太陽電池モジュールＭｏ１２の双方が、支持部Ｓｔ１あるいは長尺部材Ｓｔ１Ａに固定されている状態であってもよい。
【００９５】
上記第３実施形態では、例えば、長尺部材Ｓｔ１Ａが、スペーサ部Ｓｐ０の代わりに、スペーサ部Ｓｐ０と同様な役割を果たす、凸部あるいは傾斜部を、第４方向（＋ｚ方向）の側に有していてもよい。
【００９６】
上記第３実施形態では、例えば、第５方向（＋ｘ方向）において隣り合って位置している太陽電池モジュールＭｏ１同士が連結されている状態で位置していてもよい。具体的には、例えば、第５方向（＋ｘ方向）において隣り合って位置している太陽電池モジュールＭｏ１の間において、第３フレーム部材Ｆｌ３と第４フレーム部材Ｆ１４とが、直接あるいは他の部材を介して連結している状態で位置していてもよい。このような場合には、例えば、第３フレーム部材Ｆｌ３および第４フレーム部材Ｆ１４のうちの何れか一方のフレーム部材が長尺部材Ｓｔ１Ａに固定されている状態が採用され得る。このような構成が採用されれば、太陽電池モジュールＭｏ１が長尺部材Ｓｔ１Ａに固定されている箇所が減る。これにより、例えば、屋根部３に対して太陽電池アレイ４を設置する際に、屋根部３上に位置している長尺部材Ｓｔ１Ａに対して太陽電池モジュールＭｏ１を固定する箇所が削減され得る。その結果、例えば、太陽電池アレイ４の施工が容易となり得る。
【００９７】
上記第１実施形態および上記第３実施形態から上記第６実施形態では、例えば、第３フレーム部材Ｆ１３および第４フレーム部材Ｆ１４が存在していなくてもよい。
【００９８】
上記各実施形態では、例えば、設置対象部は、屋根部３以外の種々の構造体であってもよい。種々の構造体には、例えば、建築物の壁面部などが含まれ得る。
【００９９】
上記各実施形態および各種変形例をそれぞれ構成する全部または一部を、適宜、矛盾しない範囲で組み合わせ可能であることは言うまでもない。
【符号の説明】
【０１００】
４  太陽電池アレイ
４１  第１太陽電池アレイ
４２  第２太陽電池アレイ
１００  太陽電池装置
Ｂｓ１  第２面
Ｃｖ１  第１凸状部
Ｃｖ２  第２凸状部
Ｅｄ１  第１端部
Ｅｄ２  第２端部
Ｅｄ３  第３端部
Ｅｄ４  第４端部
Ｅｐ１  第１外周部
Ｅｐ２  第２外周部
Ｆ１  フレーム
Ｆ１１，Ｆ１１Ｂ，Ｆ１１Ｃ，Ｆ１１Ｄ，Ｆ１１Ｅ  第１フレーム部材
Ｆ１２，Ｆ１２Ｂ，Ｆ１２Ｃ，Ｆ１２Ｄ，Ｆ１２Ｅ  第２フレーム部材
Ｆ１３  第３フレーム部材
Ｆ１４  第４フレーム部材
Ｆｇ１  第１被支持部
Ｆｇ２  第２被支持部
Ｆｇ３  第３被支持部
Ｆｇ４  第４被支持部
Ｆｓ１  第１面
Ｆｔ１  第１被嵌合部
Ｆｔ２  第２被嵌合部
Ｆｔ３  第３被嵌合部
Ｆｕ１  フレーム部材ユニット
Ｉｓ１，Ｉｓ２  内部空間
Ｍｏ１  太陽電池モジュール
Ｍｏ１１  第１太陽電池モジュール
Ｍｏ１２  第２太陽電池モジュール
Ｏｈ１  第１突出部
Ｏｈ２  第２突出部
Ｐａ１  第１部分
Ｐａ２  第２部分
Ｐａ３  第３部分
Ｐａ４  第４部分
Ｐａ５  第５部分
Ｐａ６  第６部分
Ｐｎ１  太陽電池パネル
Ｐｖ１  第１仮想平面
Ｐｒ１  第１張出部
Ｐｒ２  第２張出部
Ｐｒ３  第３張出部
Ｐｒ４  第４張出部
Ｒｅ１  第１欠け部
Ｒｅ２  第２欠け部
Ｓ３  第３面
Ｓ４  第４面
Ｓ５  第５面
Ｓ６  第６面
Ｓｐ０  スペーサ部
Ｓｓ１  側面
Ｓｓ１１  第１側面
Ｓｓ１２  第２側面
Ｓｓ１３  第３側面
Ｓｓ１４  第４側面
Ｓｔ１  支持部
Ｓｔ１Ａ  長尺部材
Ｔｒ１  第１溝状部
Ｔｒ２  第２溝状部
Ｗ１，Ｗ１Ｇ  第１の幅
Ｗ２，Ｗ２Ｇ  第２の幅
Ｗｌ１  第１壁状部
Ｗｌ２  第２壁状部
Ｗｌ３  第３壁状部
【図１】
2019134552.tif 000003
【図２】
2019134552.tif 000004
【図３】
2019134552.tif 000005
【図４】
2019134552.tif 000006
【図５】
2019134552.tif 000007
【図６】
2019134552.tif 000008
【図７】
2019134552.tif 000009
【図８】
2019134552.tif 000010
【図９】
2019134552.tif 000011
【図１０】
2019134552.tif 000012
【図１１】
2019134552.tif 000013
【図１２】
2019134552.tif 000014
【図１３】
2019134552.tif 000015
【図１４】
2019134552.tif 000016
【図１５】
2019134552.tif 000017
【図１６】
2019134552.tif 000018
【図１７】
2019134552.tif 000019
【図１８】
2019134552.tif 000020
【図１９】
2019134552.tif 000021
【図２０】
2019134552.tif 000022
【図２１】
2019134552.tif 000023